(57)【特許請求の範囲】
【請求項１】
筐体に開閉可能に取り付けられた扉を、上記筐体に対し閉じた状態にロックするためのロックレバーと、
上記ロックレバーの回動用のレバー回動軸と、
上記ロックレバーを、上記レバー回動軸を中心にして上記筐体に対し上記扉をロックするための一回転方向、及び上記筐体に対する上記扉のロックを解除するための他回転方向に回動可能に支持する支持部と、
上記支持部により回動可能に支持されている上記ロックレバーを、上記筐体に対し上記扉をロックするために上記レバー回動軸を中心にして上記一回転方向に回転させるように付勢する付勢部と
を具え、
上記レバー回動軸は、
内部に上記ロックレバーのレバー重心が位置する
ロック装置。
【請求項２】
上記ロックレバーの上記レバー重心を、上記レバー回動軸の内部に位置させるように調整する重心位置調整部
を具える請求項１に記載のロック装置。
【請求項３】
上記重心位置調整部は、
上記ロックレバーに取付位置を調整可能に取り付けられた
請求項２に記載のロック装置。
【請求項４】
上記重心位置調整部は、
上記ロックレバーに取付角度を調整可能に取り付けられた
請求項２又は請求項３に記載のロック装置。
【請求項５】
上記重心位置調整部は、
自身の重心の位置からずれた所定位置の調整部回動軸が設けられ、上記ロックレバーに上記調整部回動軸を中心にして回動して上記取付角度を調整可能に取り付けられた
請求項４に記載のロック装置。
【請求項６】
所定の操作に応じて、所定部位を上記ロックレバーの所定の突当面に突き当てるようにして当該ロックレバーを上記他回転方向に回転させる突当回転部
を具え、
上記突当回転部は、
上記ロックレバーが上記付勢部によって付勢され上記筐体に対し上記扉をロックした状態では、上記ロックレバーの上記突当面から上記所定部位を離隔させて配置された
請求項５に記載のロック装置。
【請求項７】
筐体と、
上記筐体に開閉可能に取り付けられた扉と、
上記筐体に対し上記扉を閉じた状態にロックするためのロックレバーと、
上記ロックレバーの回動用のレバー回動軸と、
上記ロックレバーを、上記レバー回動軸を中心にして上記筐体に対し上記扉をロックするための一回転方向、及び上記筐体に対する上記扉のロックを解除するための他回転方向に回動可能に支持する支持部と、
上記支持部により回動可能に支持されている上記ロックレバーを、上記筐体に対し上記扉をロックするために上記レバー回動軸を中心にして上記一回転方向に回転させるように付勢する付勢部と
を具え、
上記レバー回動軸は、
内部に上記ロックレバーのレバー重心が位置する
収納装置。
【発明の詳細な説明】
【技術分野】
【０００１】
本発明はロック装置及び収納装置に関し、例えば、紙幣の入金及び出金の取り引きを行う現金自動預払機（ATM：Automatic  Teller  Machine）に着脱可能に装着され、取り引きの際に異常であると鑑別された紙幣（以下、これをリジェクト紙幣とも呼ぶ）を収納するための紙幣収納カセットに適用して好適なものである。
【背景技術】
【０００２】
従来の紙幣収納カセットは、直方体状の筐体（以下、これをカセット筐体とも呼ぶ）を有し、当該カセット筐体の一面に紙幣を出し入れするための扉が開閉可能に取り付けられている。
【０００３】
また紙幣収納カセットは、扉に錠が取り付けられており、当該錠の鍵穴に差し込まれた鍵の回転操作に応じて、カセット筐体に対し扉を閉じた状態にロックし、また、そのロックを解除してカセット筐体に対し紙幣の補充用及び回収用に扉を開閉させていた。
【０００４】
そして紙幣収納カセットは、自動取引装置の紙幣入出金ユニットに着脱可能に収納され、紙幣の出金時、内部の紙幣を紙幣入出金ユニットに繰り出し、また紙幣の入金時、紙幣入出金ユニットから内部に紙幣を取り込んでいた（例えば、特許文献１参照）。
【先行技術文献】
【特許文献】
【０００５】
【特許文献１】特開２０１０−５５１３４号公報（第５頁、図１、図２）
【発明の概要】
【発明が解決しようとする課題】
【０００６】
ところで、係る構成の紙幣収納カセットは、上述したように、図１３に示すようなカセット筐体１００を有し、当該カセット筐体１００の正面１００Ａに開口が形成されると共に、扉１０１が図示しないヒンジ部を介して当該開口を開放し、また閉塞するように開閉可能に取り付けられている。
【０００７】
因みに、以下の説明では、紙幣収納カセットを、カセット筐体１００の正面１００Ａと対峙して見た場合の図中に矢印ａ１０で示す左方向を、カセット左方向とも呼び、当該カセット左方向とは逆の右方向を、カセット右方向とも呼ぶ。
【０００８】
また、以下の説明では、紙幣収納カセットを、カセット筐体１００の正面１００Ａと対峙して見た場合の図中に矢印ｂ１０で示す上方向を、カセット上方向とも呼び、当該カセット上方向とは逆の下方向を、カセット下方向とも呼ぶ。
【０００９】
さらに、以下の説明では、紙幣収納カセットを、カセット筐体１００の正面１００Ａと対峙して見た場合の図中に矢印ｃ１０で示す手前の方向を、カセット前方向とも呼び、当該カセット前方向とは逆の奥側の方向を、カセット後方向とも呼ぶ。
【００１０】
そして紙幣収納カセットは、扉１０１の裏面１０１Ａに、例えば、図１４（Ａ）及び（Ｂ）並びに図１５（Ａ）及び（Ｂ）に示すようなロック部１０２が設けられている。
【００１１】
因みに、図１４（Ａ）及び図１５（Ａ）は、カセット筐体１００に対し扉１０１を閉じた状態で当該カセット筐体１００の正面板の内面（すなわち、上述の正面１００Ａの裏側の面）１００Ｂ、及び扉１０１の裏面１０１Ａと共にロック部１０２を見た場合の当該ロック部１０２の構成を示す図である。
【００１２】
また図１４（Ｂ）及び図１５（Ｂ）は、カセット筐体１００に対し扉１０１を閉じた状態で、当該カセット筐体１００の正面板、及び扉１０１と共にロック部１０２を下から見上げた場合の当該ロック部１０２の構成を示す図である。
【００１３】
ロック部１０２は、上述の錠１０３を有している。錠１０３は、円筒状に形成されており、一端部を扉１０１の表面１０１Ｂから突出させ、かつ他端部を扉１０１の裏面１０１Ａから突出させて当該扉１０１に取り付けられている。
【００１４】
また錠１０３の一端面には、鍵１０４を当該錠１０３の中心軸（以下、これを錠中心軸とも呼ぶ）に沿って差し込むための鍵穴が穿設されている。
【００１５】
そして錠１０３は、鍵穴に差し込まれた鍵１０４を、一端面の当該鍵穴の穿設部分と共に錠中心軸を中心にして例えば、９０度のような第１角度範囲で一回転方向（この場合は例えば、時計回方向）、及びこれとは逆の他回転方向（この場合は例えば、反時計回方向）に回転させるような所定の内部構造を有している。
【００１６】
さらに錠１０３の他端部内には、鍵穴に差し込まれた鍵１０４の一回転方向及び他回転方向への回転に連動して、錠中心軸を中心にして９０度よりも小さい所定の第２角度範囲で一回転方向及び他回転方向に回転する回転機構（図示せず）が設けられている。
【００１７】
そして錠１０３の回転機構は、角柱状のアーム回動軸１０５を錠中心軸と一致させて、当該アーム回動軸１０５の一端部を保持して、他端部を錠１０３の他端面の中央から突出させている。
【００１８】
これにより錠１０３は、鍵穴に差し込まれた鍵１０４が一回転方向に回転操作されたとき（すなわち、鍵１０４が第１角度範囲で一回転方向に目一杯回転したとき）、これに連動してアーム回動軸１０５を、錠中心軸を中心にして第２角度範囲で一回転方向に目一杯回転させる。
【００１９】
また錠１０３は、鍵穴に差し込まれた鍵１０４が他回転方向に回転操作されたとき（すなわち、鍵１０４が第１角度範囲で他回転方向に目一杯回転したとき）、これに連動してアーム回動軸１０５を、錠中心軸を中心にして第２角度範囲で他回転方向に目一杯回転させる。
【００２０】
そしてアーム回動軸１０５の他端部は、Ｌ字板状の回動アーム１０６の根元部１０６Ａに穿設された四角形の貫通孔に挿入されている。
【００２１】
このようにして錠１０３には、アーム回動軸１０５を介して回動アーム１０６が先端部１０６Ｂをカセット左方向に向け、当該アーム回動軸１０５が他回転方向に目一杯回転したときに根元部１０６Ａをカセット上方向と平行にするように取り付けられている。
【００２２】
これにより錠１０３は、鍵穴に差し込まれた鍵１０４が他回転方向へ回転操作されると、アーム回動軸１０５と共に回動アーム１０６を他回転方向に回転させて、当該回動アーム１０６の根元部１０６Ａを上方向と平行にし先端部１０６Ｂを錠１０３の下側に位置させる。
【００２３】
また錠１０３は、鍵穴に差し込まれた鍵１０４が一回転方向へ回転操作されると、アーム回動軸１０５と共に回動アーム１０６を一回転方向に回転させて、当該回動アーム１０６の根元部１０６Ａを左斜め下方向と平行にして先端部１０６Ｂを錠１０３の真下よりも左側に位置させる。
【００２４】
ところで、ロック部１０２は、カセット筐体１００に対し扉１０１をロックするためのロックレバー１０７と、当該ロックレバー１０７を扉１０１の裏面１０１Ａに支持する２つのレバー支持部１０８及び１０９とを有している。
【００２５】
ロックレバー１０７は、例えば、略長方形の平板状の胴体部１０７Ａを有している。そして胴体部１０７Ａの一面には、当該胴体部１０７Ａの長手方向（以下、これを胴体長手方向とも呼ぶ）の一端部に、一側面から他側面に亘る平板状のアーム突当部１０７Ｂが突設されている。
【００２６】
また胴体部１０７Ａの一側面には、胴体長手方向の他端側にＬ字板状の腕部１０７Ｃが設けられている。この場合、腕部１０７Ｃは、短冊状の根元部の一端側に、直角三角形状の先端部が、根元部の他端側を当該根元部の長手方向に垂直な底面とし、かつ根元部の一端側を傾斜面としてＬ字を成すように設けられている。
【００２７】
そして腕部１０７Ｃは、根元部の他端側が胴体部１０７Ａの一側面に接合され、当該根元部の一端側を胴体部１０７Ａの一面の上側に突出させると共に、先端部の底面を胴体部１０７Ａの一面と面一にして、当該先端部全体を胴体部１０７Ａの一面の上及び当該胴体部１０７Ａの他端面の前に突出させている。
【００２８】
さらに胴体部１０７Ａの一面には、例えば、同一の幅及び長さを有する２つの長孔１０７ＡＸ、１０７ＡＹが、当該長孔１０７ＡＸ、１０７ＡＹの長手方向を胴体長手方向と平行にし、かつ胴体長手方向に沿って順（すなわち、１列）に穿設されている。
【００２９】
一方、２つのレバー支持部１０８、１０９は、同一の形状及び大きさを有し、円柱状の差込部の他端に、当該差込部よりも直径の大きい円板状のレバー抑え部が設けられて形成されている。
【００３０】
この場合、２つのレバー支持部１０８、１０９は、差込部の長さがロックレバー１０７の胴体部１０７Ａの厚みよりも僅かに長く選定されると共に、当該差込部の直径が長孔１０７ＡＸ、１０７ＡＹの幅とほぼ等しく選定されている。
【００３１】
また２つのレバー支持部１０８、１０９は、レバー抑え部の直径が、長孔１０７ＡＸ、１０７ＡＹの幅よりも長く選定されている。
【００３２】
そしてロックレバー１０７は、扉１０１の裏面１０１Ａと回動アーム１０６の先端部１０６Ｂとの間で、胴体部１０７Ａの他面を当該扉１０１の裏面１０１Ａと対向させ、かつ胴体長手方向をカセット左方向と平行にして配置される。
【００３３】
この状態で、２つのレバー支持部１０８、１０９は、差込部がロックレバー１０７の対応する長孔１０７ＡＸ、１０７ＡＹに、胴体部１０７Ａの一面側から差し込まれて、当該差込部の一端が扉１０１の裏面１０１Ａに接合されている。
【００３４】
これにより２つのレバー支持部１０８、１０９は、扉１０１の裏面１０１Ａにロックレバー１０７を、胴体部長手方向をカセット左方向と平行にした状態で、当該カセット左方向及びカセット右方向に移動可能に支持している。
【００３５】
そしてロック部１０２には、ロックレバー１０７をカセット右方向に付勢するばねのような弾性体（図示せず）が設けられている。
【００３６】
またカセット筐体１００において正面板の内面１００Ｂには、例えば、長方形の板状のロックプレート１１０が、一端部を、ロックレバー１０７の胴体部１０７Ａの他端部と対向させ、かつ開口内に突出させて配置されている。
【００３７】
係る構成のもと、ロック部１０２は、カセット筐体１００に対し扉１０１が閉じられた状態で、鍵穴に差し込まれた鍵１０４が他回転方向に回転操作されると、これに連動した回動アーム１０６の他回転方向への回転に応じてロックレバー１０７を弾性体の付勢によりカセット右方向の所定のロック位置まで移動させる。
【００３８】
すなわち、ロック部１０２は、ロックレバー１０７を、回動アーム１０６が根元部１０６Ａをカセット上方向と平行にした姿勢で先端部１０６Ｂをアーム突当部１０７Ｂに突き当てた状態になるロック位置まで移動させる。
【００３９】
そしてロック部１０２は、このようにしてロックレバー１０７をロック位置に停止させた場合、当該ロックレバー１０７の腕部１０７Ｃの先端部をロックプレート１１０の一面上の一端寄りに位置させる。
【００４０】
これによりロック部１０２は、扉１０１の裏面１０１Ａとロックレバー１０７の腕部１０７Ｃの先端部との間にロックプレート１１０の一端部を挟み込むようにして、カセット筐体１００に対し扉１０１を閉じた状態にロックすることができる。
【００４１】
またロック部１０２は、カセット筐体１００に対し扉１０１が閉じられた状態で、鍵穴に差し込まれた鍵１０４が一回転方向に回転操作されると、これに連動して回動アーム１０６を、ロックレバー１０７のアーム突当部１０７Ｂに先端部１０６Ｂを突き当てたまま一回転方向に回転させて、ロックレバー１０７をカセット左方向の所定の解除位置まで移動させる。
【００４２】
すなわち、ロック部１０２は、ロックレバー１０７を、回動アーム１０６が根元部１０６Ａを左斜め下方向と平行にした姿勢で先端部１０６Ｂをアーム突当部１０７Ｂに突き当てた状態になる解除位置まで移動させる。
【００４３】
これによりロック部１０２は、ロックレバー１０７の腕部１０７Ｃの先端部をロックプレート１１０の一面上から退避させて、カセット筐体１００に対する扉１０１のロックを解除して、当該カセット筐体１００に対し扉１０１を開閉させることができる。
【００４４】
またロック部１０２は、カセット筐体１００に対し扉１０１を開いたままでも、鍵穴に差し込まれた鍵１０４を他回転方向に回転操作させてロックレバー１０７をロック位置まで移動させることができる。
【００４５】
そしてロック部１０２には、ロックレバー１０７をロック位置に停止させた場合、当該ロックレバー１０７を弾性体によりカセット右方向へ移動させるように付勢する以外に、ロック位置からカセット左方向へ移動させないための機構は設けられていない。
【００４６】
よってロック部１０２は、カセット筐体１００に対し扉１０１が開かれたままロックレバー１０７をロック位置に停止させた後、カセット筐体１００に対し扉１０１が閉じるように押されると、ロックプレート１１０の一端面のカセット前方向の縁（以下、これを一端面前縁とも呼ぶ）にロックレバー１０７の腕部１０７Ｃの傾斜面を突き当てて摺動させる。
【００４７】
これによりロック部１０２は、ロックレバー１０７を、ロック位置から一旦はカセット左方向へ移動させて、腕部１０７Ｃの先端部をロックプレート１１０の一端面前縁から一端面を横切らせた後、弾性体による付勢に従いロック位置へ戻すように移動させて当該腕部１０７Ｃの先端部をロックプレート１１０の一面上に回り込ませる。
【００４８】
このようにしてロック部１０２は、ロックレバー１０７をロック位置に停止させたまま、カセット筐体１００に対し扉１０１が閉じるように押されても、当該カセット筐体１００に対し扉１０１を閉じさせて自動的にロックすることができる。
【００４９】
ところが、係る構成の紙幣収納カセットは、上述のようにロック部１０２にロックレバー１０７を弾性体によりカセット右方向へ付勢する以外に、ロック位置からカセット左方向へ移動させないための機構は設けられていない。
【００５０】
このため図１６に示すように、紙幣収納カセットは、持ち運びや紙幣入出金ユニットへの着脱等の際、カセット筐体１００に対し扉１０１をロックしていても、誤って落下させられると、ロックレバー１０７が、落下時の衝撃力（すなわち、落下の衝撃でかかる落下方向の力）を受け、また落下に伴う紙幣収納カセットのバウンドや転がりで生じる反発力（すなわち、紙幣収納カセットにバウンドでかかるそのバウンド方向の力）や遠心力が作用して自らカセット左方向へ移動して扉１０１のロックを解除する場合がある。
【００５１】
そして図１７に示すように、紙幣収納カセットは、このように落下によりロックレバー１０７が自らカセット左方向へ移動して扉１０１のロックを解除した場合、その落下の衝撃やバウンド等によりカセット筐体１００に対し扉１０１がひとりでに開くという問題があった。
【００５２】
本発明は以上の点を考慮してなされたもので、筐体の落下時に扉を閉じたままにし得るロック装置及び収納装置を提案しようとするものである。
【課題を解決するための手段】
【００５３】
かかる課題を解決するため本発明においては、筐体に開閉可能に取り付けられた扉を、当該筐体に対し閉じた状態にロックするためのロックレバーと、ロックレバーの回動用のレバー回動軸と、ロックレバーを、レバー回動軸を中心にして筐体に対し扉をロックするための一回転方向、及び筐体に対する扉のロックを解除するための他回転方向に回動可能に支持する支持部と、支持部により回動可能に支持されているロックレバーを、筐体に対し扉をロックするためにレバー回動軸を中心にして一回転方向に回転させるように付勢する付勢部とを設けるようにして、レバー回動軸の内部にロックレバーのレバー重心を位置させるようにした。
【００５４】
従って本発明では、付勢部の付勢によりロックレバーを一回転方向に回転させて筐体に対し扉をロックした状態で、当該筐体が落下しても、ロックレバーにかかる落下による衝撃力（すなわち、落下の衝撃でかかる落下方向の力）や、筐体の落下に伴うバウンドや転がりによって生じる反発力（すなわち、筐体にバウンドでかかるそのバウンド方向の力）や遠心力を、ロックレバーの回動用のレバー回動軸の内部に位置するレバー重心で受けて、当該ロックレバーに他回転方向へ回転させるような外力が加わらないようにし、その結果、筐体に対する扉のロック状態を維持することができる。
【発明の効果】
【００５５】
本発明によれば、筐体に開閉可能に取り付けられた扉を、当該筐体に対し閉じた状態にロックするためのロックレバーと、ロックレバーの回動用のレバー回動軸と、ロックレバーを、レバー回動軸を中心にして筐体に対し扉をロックするための一回転方向、及び筐体に対する扉のロックを解除するための他回転方向に回動可能に支持する支持部と、支持部により回動可能に支持されているロックレバーを、筐体に対し扉をロックするためにレバー回動軸を中心にして一回転方向に回転させるように付勢する付勢部とを設けるようにして、レバー回動軸の内部にロックレバーのレバー重心を位置させるようにしたことにより、付勢部の付勢によりロックレバーを一回転方向に回転させて筐体に対し扉をロックした状態で、当該筐体が落下しても、ロックレバーにかかる落下による衝撃力や、筐体の落下に伴うバウンドや転がりによって生じる反発力や遠心力を、ロックレバーの回動用のレバー回動軸の内部に位置するレバー重心で受けて、当該ロックレバーに他回転方向へ回転させるような外力が加わらないようにし、その結果、筐体に対する扉のロック状態を維持することができ、かくして筐体の落下時に扉を閉じたままにし得るロック装置及び収納装置を実現することができる。
【図面の簡単な説明】
【００５６】
【図１】現金自動預払機の外観構成の一例を示す略線的斜視図である。
【図２】現金自動預払機の内部構成の一例を示す略線的側面図である。
【図３】預払機筐体、紙幣入出金ユニット及び紙幣収納ユニットの構成（１）を示す略線的側面図である。
【図４】預払機筐体、紙幣入出金ユニット及び紙幣収納ユニットの構成（２）を示す略線的背面図である。
【図５】預払機筐体からの紙幣収納ユニットの引き出しの説明に供する略線的側面図である。
【図６】預払機筐体からの紙幣入出金ユニットの引き出しの説明に供する略線的側面図である。
【図７】第１の実施の形態による紙幣収納カセットの構成を示す略線的斜視図である。
【図８】第１の実施の形態によるロック部の構成（１）を示す略線図である。
【図９】第１の実施の形態によるロック部の構成（２）を示す略線図である。
【図１０】第２の実施の形態による紙幣収納カセットの構成を示す略線的斜視図である。
【図１１】第２の実施の形態によるロック部の構成（１）を示す略線図である。
【図１２】第２の実施の形態によるロック部の構成（２）を示す略線図である。
【図１３】従来の紙幣収納カセットの構成を示す略線的斜視図である。
【図１４】従来の紙幣収納カセットに設けられたロック部の構成（１）を示す略線図である。
【図１５】従来の紙幣収納カセットに設けられたロック部の構成（２）を示す略線図である。
【図１６】紙幣収納カセットの落下によるロックレバーのカセット左方向への移動の説明に供する略線図である。
【図１７】紙幣収納カセットの落下による扉のロックの解除の説明に供する略線図である。
【発明を実施するための形態】
【００５７】
以下図面を用いて、発明を実施するための最良の形態（以下、これを実施の形態とも呼ぶ）について説明する。なお、説明は以下の順序で行う。
（１）現金自動預払機の構成
（２）第１の実施の形態
（３）第２の実施の形態
（４）他の実施の形態
【００５８】
（１）現金自動預払機の構成
まず、本発明を適用したリジェクト紙幣用の紙幣収納カセットが着脱可能に装着される現金自動預払機の構成について説明する。
【００５９】
そして、この現金自動預払機の構成を説明した後、本実施の形態によるリジェクト紙幣用の紙幣収納カセットの説明に移る。
【００６０】
（１−１）現金自動預払機の外観構成
図１は、現金自動預払機１の外観構成を示す。かかる現金自動預払機１は、略箱型の筐体（以下、これを預払機筐体とも呼ぶ）２を有している。
【００６１】
因みに、以下の説明では、現金自動預払機１を、預払機筐体２の前面２Ａと対峙して見た場合の図中に矢印ａ１で示す左方向を、預払機左方向とも呼び、当該預払機左方向とは逆の右方向を、預払機右方向とも呼ぶ。
【００６２】
また、以下の説明では、現金自動預払機１を、預払機筐体２の前面２Ａと対峙して見た場合の図中に矢印ｂ１で示す上方向を、預払機上方向とも呼び、当該預払機上方向とは逆の下方向を、預払機下方向とも呼ぶ。
【００６３】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の奥側の方向を、預払機後方向とも呼ぶ。
【００６４】
そして、以下の説明では、預払機筐体２において預払機前方向の前面２Ａを、預払機前面２Ａとも呼び、預払機後方向の後面２Ｂを、預払機後面２Ｂとも呼び、預払機上方向の上面２Ｃを、預払機上面２Ｃとも呼ぶ。
【００６５】
また、以下の説明では、預払機筐体２において預払機左方向の側面２Ｄを、預払機左側面２Ｄとも呼び、預払機右方向の側面２Ｅを、預払機右側面２Ｅとも呼ぶ。
【００６６】
預払機筐体２の前側上端部には、預払機前面２Ａよりも預払機後面２Ｂ側に凹むように略Ｌ字状に形成されたフロントパネル３が設けられている。
【００６７】
この場合、フロントパネル３において預払機上方向に向くほぼ水平な上向パネル３Ａには、例えば、左寄りに種々の操作画像の表示及び表面へのタッチ操作が可能なタッチスクリーン４が設けられている。
【００６８】
またフロントパネル３の上向パネル３Ａには、例えば、右寄りに、現金としての長方形の紙幣を投入し、また取り出すための紙幣投入取出部５が設けられている。
【００６９】
一方、フロントパネル３において預払機前方向に向くほぼ垂直な前向パネル３Ｂには、例えば、左寄りに、取り引きの際に通帳を挿入し、また当該通帳や取引明細書を排出するための通帳挿入排出口７が設けられている。
【００７０】
またフロントパネル３において前向パネル３Ｂには、例えば、右寄りに、取り引きの際にキャッシュカードやクレジットカード等の種々のカードを挿入及び排出するためのカード挿入排出口８も設けられている。
【００７１】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００７２】
これにより現金自動預払機１は、顧客に操作画面を介して紙幣の取り引きの手順を案内して、紙幣の預け入れである入金や紙幣の払い出しである出金の取り引きを行うことができる。
【００７３】
（１−２）現金自動預払機の内部構成
次いで、現金自動預払機１の内部構成について説明する。図２に示すように、現金自動預払機１において預払機筐体２の内部には、当該現金自動預払機１全体を統括制御する制御部１０と共に、紙幣入出金ユニット１１及び紙幣収納ユニット１２が設けられている。
【００７４】
この場合、紙幣入出金ユニット１１は、例えば、中央よりも上側の内部に、上述の紙幣投入取出部５と、後述する鑑別部１３及び一時保留部１４と共に、これらと紙幣収納ユニット１２との間で紙幣を搬送する搬送路１５とが配置されている。また紙幣入出金ユニット１１は、中央よりも下側に紙幣収納ユニット１２が収納されている。
【００７５】
そして紙幣収納ユニット１２には、紙幣を金種別に収納する（すなわち、それぞれ特定の１種類の紙幣のみの収納する）複数の紙幣収納カセット１６乃至１８が予め内蔵（すなわち、内部に固定）されている。
【００７６】
また紙幣収納ユニット１２には、予め内蔵された複数の紙幣収納カセット１６乃至１８に紙幣を補充し、またこれら複数の紙幣収納カセット１６乃至１８から紙幣を回収するための紙幣収納カセット１９が着脱可能に装着されている。
【００７７】
さらに紙幣収納ユニット１２には、リジェクト紙幣を収納するための紙幣収納カセット２０も着脱可能に装着されている。
【００７８】
制御部１０は、紙幣の入金時、紙幣投入取出部５から、顧客により投入された入金用の１又は複数の紙幣を１枚ずつ繰り出し搬送路１５を介して鑑別部１３に搬送して、当該鑑別部１３において紙幣の金種や状態等を鑑別させる。
【００７９】
その結果、制御部１０は、鑑別部１３において正常であると鑑別された紙幣については、当該鑑別部１３から搬送路１５を介して一時保留部１４に搬送して一時的に保持することにより、当該紙幣の入金を保留する。
【００８０】
また制御部１０は、鑑別部１３において破損や折れ等により異常であると鑑別された紙幣については、当該鑑別部１３から搬送路１５を介して紙幣投入取出部５に搬送して顧客に返却する。
【００８１】
因みに、鑑別部１３により異常であると鑑別された紙幣は、現金自動預払機１では取り扱いを拒絶するものであり、係る紙幣が上述のリジェクト紙幣となる。
【００８２】
このようにして制御部１０は、鑑別部１３において、紙幣投入取出部５内に投入された紙幣が全て鑑別されると、正常であると鑑別された紙幣の総額（すなわち、入金の金額）を、タッチスクリーン４を介して顧客に提示する。
【００８３】
その結果、制御部１０は、入金の金額を確認した顧客によりタッチスクリーン４を介して紙幣の入金が指示されると、一時保留部１４から一時的に保持していた紙幣を１枚ずつ繰り出し搬送路１５を介して鑑別部１３に戻す。
【００８４】
そして制御部１０は、鑑別部１３において再び紙幣の金種を鑑別させた後、当該鑑別部１３から金種が鑑別された紙幣を、搬送路１５を介して紙幣収納ユニット１２に搬送する。
【００８５】
これにより制御部１０は、紙幣収納ユニット１２において紙幣を、鑑別された金種に応じた紙幣収納カセット１６乃至１８に収納する。このようにして制御部１０は、顧客の所望する取り引きとしての紙幣の入金を行うことができる。
【００８６】
一方、制御部１０は、紙幣の出金時、紙幣収納ユニット１２の紙幣収納カセット１６乃至１８から、顧客により出金用に指定された金額分の紙幣を１枚ずつ繰り出し搬送路１５を介して鑑別部１３に搬送して、当該鑑別部１３において紙幣の金種や状態等を鑑別させる。
【００８７】
その結果、制御部１０は、鑑別部１３において正常であると鑑別された紙幣については、当該鑑別部１３から搬送路１５を介して紙幣投入取出部５に搬送する。
【００８８】
ただし、制御部１０は、鑑別部１３により鑑別された紙幣の中にリジェクト紙幣が存在すると、当該鑑別部１３からリジェクト紙幣を、搬送路１５を介して一時保留部１４に搬送して一時的に保持させる。
【００８９】
そして制御部１０は、紙幣投入取出部５に、出金用に指定された金額分の紙幣を搬送し終えると、当該紙幣投入取出部５を介して顧客に、その出金用に指定された金額分の紙幣を引き渡す。このようにして制御部１０は、顧客の所望する取り引きとしての紙幣の出金を行うことができる。
【００９０】
ところで、制御部１０は、この際、一時保留部１４にリジェクト紙幣を保持すると、出金の終了後（すなわち、紙幣を顧客に引き渡した後）、一時保留部１４から一時的に保持していたリジェクト紙幣を１枚ずつ繰り出し搬送路１５を介して鑑別部１３に戻す。
【００９１】
そして制御部１０は、鑑別部１３において再びリジェクト紙幣の金種や状態等を鑑別させた後、そのリジェクト紙幣を、搬送路１５を介して紙幣収納ユニット１２に搬送して専用の紙幣収納カセット２０に収納する。
【００９２】
このようにして制御部１０は、紙幣の出金時、紙幣収納カセット１６乃至１８から繰り出した紙幣の中でリジェクト紙幣を発見すると、そのリジェクト紙幣を分別して専用の紙幣収納カセット２０に保管し、その後、出金には用いないようにする。
【００９３】
因みに、制御部１０は、例えば、取り引きの合間、紙幣収納ユニット１２内で、紙幣補充回収用の紙幣収納カセット１９から紙幣を１対ずつ繰り出して、出金用の紙幣が不足している紙幣収納カセット１６乃至１８に搬送して収納する。
【００９４】
また制御部１０は、例えば、取り引きの合間、紙幣収納ユニット１２内で、紙幣を一定量以上収納している紙幣収納カセット１６乃至１８から紙幣を１対ずつ繰り出して紙幣補充回収用の紙幣収納カセット１９に搬送して収納する。
【００９５】
このようにして制御部１０は、紙幣補充回収用の紙幣収納カセット１９を利用して他の紙幣収納カセット１６乃至１８に対する紙幣の補充及び回収を行なっている。
【００９６】
（１−３）預払機筐体、紙幣入出金ユニット及び紙幣収納ユニットの構成
次いで、現金自動預払機１の預払機筐体２の構成と共に、当該預払機筐体２内に収納された紙幣入出金ユニット１１及び紙幣収納ユニット１２の構成についてさらに説明する。
【００９７】
図３及び図４に示すように、預払機筐体２は、フロントパネル３の下側に、紙幣入出金ユニット１１及び紙幣収納ユニット１２を一括して収納するための空間でなるユニット一括収納部２Ｆが形成されている。
【００９８】
また預払機筐体２の例えば、預払機後面２Ｂには、ユニット一括収納部２Ｆに対応する部分に開口が形成されると共に、当該開口を開放し、また閉塞する扉（以下、これを後扉とも呼ぶ）２ＢＸが図示しないヒンジ部を介して開閉可能に取り付けられている。
【００９９】
よって預払機筐体２は、後扉２ＢＸが開かれると、ユニット一括収納部２Ｆを外部に開放し、当該後扉２ＢＸが閉じられると、ユニット一括収納部２Ｆを外部から閉塞する。
【０１００】
さらに預払機筐体２は、預払機左側面２Ｄの裏面となる左内側面２ＤＸの中央部、及び預払機右側面２Ｅの裏面となる右内側面２ＥＸに、筐体左側レールガイド２０及び筐体右側レールガイド２１が預払機後方向と平行に配置されている。
【０１０１】
一方、紙幣入出金ユニット１１は、略箱型の筐体（以下、これを入出金ユニット筐体とも呼ぶ）２２を有している。
【０１０２】
入出金ユニット筐体２２は、中央よりも下側に、紙幣収納ユニット１２を個別に収納するための空間でなるユニット個別収納部２２Ａが形成されると共に、後面２２Ｂにおいて当該ユニット個別収納部２２Ａと対応する部分に開口２２ＡＸが形成されている。
【０１０３】
また入出金ユニット筐体２２は、左側面２２Ｃの中央部及び右側面２２Ｄの中央部に、筐体左側レールガイド２０及び筐体右側レールガイド２１に対応するユニット左側可動レール２３及びユニット右側可動レール２４が預払機後方向と平行に配置されている。
【０１０４】
そして預払機筐体２は、筐体左側レールガイド２０にユニット左側可動レール２３が取り付けられると共に、筐体右側レールガイド２１にユニット右側可動レール２４が取り付けられている。
【０１０５】
これにより預払機筐体２は、筐体左側レールガイド２０及びユニット左側可動レール２３と、筐体右側レールガイド２１及びユニット右側可動レール２４とを介して紙幣入出金ユニット１１（すなわち、入出金ユニット筐体２２）を預払機後方向及び預払機前方向にスライド可能に保持している。
【０１０６】
また入出金ユニット筐体２２は、ユニット個別収納部２２Ａにおいて、左側面２２Ｃの裏面となる左内側面２２ＣＸの上寄り、及び右側面２２Ｄの裏面となる左内側面２２ＤＸの上寄りに、ユニット左側レールガイド２５及びユニット右側レールガイド２６が預払機後方向と平行に配置されている。
【０１０７】
これに加えて紙幣収納ユニット１２は、略箱型の筐体（以下、これを収納ユニット筐体とも呼ぶ）２７を有している。
【０１０８】
収納ユニット筐体２７は、左側面２７Ａの上寄り、及び右側面２７Ｂの上寄りに、ユニット左側レールガイド２５及びユニット右側レールガイド２６に対応するユニット左側可動レール３０及びユニット右側可動レール３１が預払機後方向と平行に配置されている。
【０１０９】
そして紙幣入出金ユニット１１は、ユニット左側レールガイド２５にユニット左側可動レール３０が取り付けられると共に、ユニット右側レールガイド２６にユニット右側可動レール３１が取り付けられている。
【０１１０】
これにより紙幣入出金ユニット１１は、ユニット左側レールガイド２５及びユニット左側可動レール３０と、ユニット右側レールガイド２６及びユニット右側可動レール３１とを介して紙幣収納ユニット１２（すなわち、収納ユニット筐体２７）を預払機後方向及び預払機前方向にスライド可能に保持している。
【０１１１】
よって図５に示すように、現金自動預払機１は、当該現金自動預払機１に対する種々の作業が許可された作業者により後扉２ＢＸが開かれた場合、作業者に紙幣入出金ユニット１１のユニット個別収納部２２Ａから紙幣収納ユニット１２を個別に預払機筐体２の外部（すなわち、預払機筐体２の後側）に引き出させることができる。
【０１１２】
これにより現金自動預払機１は、作業者に預払機筐体２の外部において紙幣収納ユニット１２に対し紙幣補充回収用の紙幣収納カセット１９や、リジェクト紙幣用の紙幣収納カセット２０を装着させ、また取り外させることができる。
【０１１３】
そして現金自動預払機１は、紙幣収納ユニット１２に対する紙幣収納カセット１９及び２０の装着後には、作業者に預払機筐体２の後側から紙幣収納ユニット１２をユニット個別収納部２２Ａに押し込むようにして収納させたうえで後扉２ＢＸを閉じさせる。
【０１１４】
また図６に示すように、現金自動預払機１は、作業者により後扉２ＢＸが開かれた場合、当該作業者に預払機筐体２のユニット一括収納部２Ｆから紙幣入出金ユニット１１を紙幣収納ユニット１２と共に預払機筐体２の外部（すなわち、預払機筐体２の後側）に引き出させることもできる。
【０１１５】
そのうえで現金自動預払機１は、図示はしないが、作業者に紙幣入出金ユニット１１のユニット個別収納部２２Ａから、さらに紙幣収納ユニット１２を引き出させることもできる。
【０１１６】
これにより現金自動預払機１は、作業者に預払機筐体２の外部において紙幣収納ユニット１２に対し紙幣補充回収用の紙幣収納カセット１９や、リジェクト紙幣用の紙幣収納カセット２０を装着させ、また取り外させることができる。
【０１１７】
そして現金自動預払機１は、紙幣収納ユニット１２に対する紙幣収納カセット１９及び２０の装着後には、作業者に預払機筐体２の後側から例えば、紙幣収納ユニット１２をユニット個別収納部２２Ａに押し込むようにして収納させる。
【０１１８】
引き続き現金自動預払機１は、作業者に預払機筐体２の後側から紙幣入出金ユニット１１をユニット一括収納部２Ｆに押し込むように収納させたうえで後扉２ＢＸを閉じさせる。
【０１１９】
このようにして現金自動預払機１は、紙幣収納ユニット１２に対し紙幣補充回収用の紙幣収納カセット１９や、リジェクト紙幣用の紙幣収納カセット２０を着脱させることができる。
【０１２０】
（２）第１の実施の形態
（２−１）紙幣収納カセットの構成
図７（Ａ）及び（Ｂ）は、本発明を適用した上述のリジェクト紙幣用の紙幣収納カセット２０（図２）の具体例である第１の実施の形態によるリジェクト紙幣用の紙幣収納カセット４０を示す。係る紙幣収納カセット４０は、箱型の筐体（以下、これをカセット筐体とも呼ぶ）４１を有している。
【０１２１】
因みに、以下の説明では、紙幣収納カセット４０を、カセット筐体４１の正面４１Ａと対峙して見た場合の図中に矢印ａ２で示す左方向を、カセット左方向とも呼び、当該カセット左方向とは逆の右方向を、カセット右方向とも呼ぶ。
【０１２２】
また、以下の説明では、紙幣収納カセット４０を、カセット筐体４１の正面２Ａと対峙して見た場合の図中に矢印ｂ２で示す上方向を、カセット上方向とも呼び、当該カセット上方向とは逆の下方向を、カセット下方向とも呼ぶ。
【０１２３】
さらに、以下の説明では、紙幣収納カセット４０を、カセット筐体４１の正面２Ａと対峙して見た場合の図中に矢印ｃ２で示す手前の方向を、カセット前方向とも呼び、当該カセット前方向とは逆の奥側の方向を、カセット後方向とも呼ぶ。
【０１２４】
そして、以下の説明では、カセット筐体４１の正面（すなわち、カセット筐体４１においてカセット前方向の面）４１Ａを、カセット正面４１Ａとも呼び、背面（すなわち、カセット筐体４１においてカセット後方向の面）４１Ｂを、カセット背面４１Ｂとも呼ぶ。
【０１２５】
また、以下の説明では、カセット筐体４１の上面（すなわち、カセット筐体４１においてカセット上方向の面）４１Ｃを、カセット上面４１Ｃとも呼び、下面（すなわち、カセット筐体４１においてカセット下方向の面）４１Ｄを、カセット下面４１Ｄとも呼ぶ。
【０１２６】
カセット筐体４１のカセット正面４１Ａには、例えば、右端部にカセット下面４１Ｄからカセット上面４１Ｃに亘るカセット上方向と平行な短冊状の正面板を残し、左側全体に開口４１ＡＸが形成されている。
【０１２７】
またカセット筐体４１のカセット正面４１Ａには、開口４１ＡＸを開放し、また閉塞する扉４２が、図示しないヒンジ部を介して当該扉４２の左端部と開口４１ＡＸの左側縁部とを連結するようにして開閉可能に取り付けられている。
【０１２８】
そして扉４２は、裏面４２Ａの右端部に、カセット筐体４１に対し当該扉４２を閉じた状態にロックするためのロック部４３が設けられている。
【０１２９】
また扉４２は、表面４２Ｂの右端部に、ロック部４３の構成部品の１つであり、カセット筐体４１に対し扉４２をロックし、また当該ロックを解除するために操作される錠４４が鍵穴４４Ａを露出させて取り付けられている。
【０１３０】
さらにカセット筐体４１の内部には、例えば、上の奥側に、紙幣入出金ユニットから搬送されるリジェクト紙幣４５を、カセット背面４１Ｂの上側に形成された紙幣取込口（図示せず）を介して内部に取り込むための、モータ及びローラ等からなる紙幣取込機構（図示せず）が設けられている。
【０１３１】
さらにまたカセット筐体４１の内部には、中央部にリジェクト紙幣４５を載上するための紙幣載上台４６が配置されると共に、当該紙幣載上台４６をカセット上方向に付勢するばねような弾性体（図示せず）も設けられている。
【０１３２】
よってカセット筐体４１は、内部にリジェクト紙幣４５を収納していない状態では、紙幣載上台４６を弾性体によるカセット上方向への付勢により紙幣取込機構に極力近づけて位置させる。
【０１３３】
そしてカセット筐体４１は、紙幣入出金ユニットからリジェクト紙幣４５が搬送される毎に、当該リジェクト紙幣４５を、紙幣取込口及び紙幣取込機構を介して内部に取り込んで紙幣載上台４６に順に積み重ねるように載上すると共に、そのリジェクト紙幣４５の重みで当該リジェクト紙幣４５の厚み分だけ紙幣載上台４６を下げる。
【０１３４】
これによりカセット筐体４１は、紙幣載上台４６に対するリジェクト紙幣４５の載上条件を常に等しくして、紙幣載上台４６に複数のリジェクト紙幣４５を極力揃えた状態で積み重ねている。
【０１３５】
このようにして紙幣収納カセット４０は、紙幣入出金ユニットから搬送されるリジェクト紙幣４５をカセット筐体４１の内部に収納する。
【０１３６】
そして紙幣収納カセット４０は、紙幣収納ユニットから取り外された状態では、カセット筐体４１に対し扉４２を開かせて、内部からリジェクト紙幣４５を取り出させる（回収させる）ことができる。
【０１３７】
（２−２）ロック部の構成
次いで、図８（Ａ）及び（Ｂ）並びに図９（Ａ）及び（Ｂ）を用いて、ロック部４３の構成について説明する。
【０１３８】
因みに、図８（Ａ）及び図９（Ａ）は、カセット筐体４１に対し扉４２を閉じた状態で当該カセット筐体４１の正面板の内面（すなわち、上述のカセット正面４１Ａの裏側の面）４１Ｅ、及び扉４２の裏面４２Ａと共にロック部４３を見た場合の当該ロック部４３の構成を示す図である。
【０１３９】
また図８（Ｂ）及び図９（Ｂ）は、カセット筐体４１に対し扉４２を閉じた状態で、当該カセット筐体４１の正面板及び扉４２と共にロック部４３を下から見上げた場合の当該ロック部４３の構成を示す図である。
【０１４０】
ロック部４３は、上述のように錠４４を有している。錠４４は、シリンダ錠であり、円筒状に形成されている。
【０１４１】
そして錠４４は、扉４２の表面４２Ｂに穿設された円形の貫通孔に挿入されて、一端部を扉４２の表面４２Ｂから突出させ、かつ他端部を扉４２の裏面４２Ａから突出させて当該扉４２に取り付けられている。
【０１４２】
また錠４４の一端面には、鍵５０を当該錠４４の中心軸（以下、これを錠中心軸とも呼ぶ）に沿って差し込むための上述の鍵穴４４Ａが穿設されている。
【０１４３】
そして錠４４は、鍵穴４４Ａに差し込まれた鍵５０を、一端面の当該鍵穴４４Ａの穿設部分と共に錠中心軸を中心にして例えば、９０度のような第１角度範囲で一回転方向（この場合は例えば、時計回方向）、及びこれとは逆の他回転方向（この場合は例えば、反時計回方向）に回転させるような所定の内部構造を有している。
【０１４４】
さらに錠４４の他端部内には、鍵穴４４Ａに差し込まれた鍵５０の一回転方向及び他回転方向への回転に連動して、錠中心軸を中心にして９０度よりも小さい例えば、５度や１０度のような第２角度範囲で一回転方向及び他回転方向に回転する回転機構（図示せず）が設けられている。
【０１４５】
そして錠４４の回転機構は、角柱状のアーム回動軸５１の中心軸を錠中心軸と一致させて、当該アーム回動軸５１の一端部を保持して、他端部を錠４４の他端面の中央から突出させている。
【０１４６】
これにより錠４４は、鍵穴４４Ａに差し込まれた鍵５０が一回転方向に回転操作されたとき（すなわち、鍵５０が第１角度範囲で一回転方向に目一杯回転したとき）、これに連動してアーム回動軸５１を、錠中心軸を中心にして第２角度範囲で一回転方向に目一杯回転させた状態にする。
【０１４７】
また錠４４は、鍵穴４４Ａに差し込まれた鍵５０が他回転方向に回転操作されたとき（すなわち、鍵５０が第１角度範囲で他回転方向に目一杯回転したとき）、これに連動してアーム回動軸５１を、錠中心軸を中心にして第２角度範囲で他回転方向に目一杯回転させた状態にする。
【０１４８】
因みに、以下の説明において、鍵穴４４Ａに差し込まれた鍵５０に対する一回転方向への回転操作とは、当該鍵穴４４Ａに差し込まれた鍵５０を第１角度範囲で一回転方向に目一杯回転させる操作のことである。
【０１４９】
また、以下の説明において、鍵穴４４Ａに差し込まれた鍵５０に対する他回転方向への回転操作とは、当該鍵穴４４Ａに差し込まれた鍵５０を第１角度範囲で他回転方向に目一杯回転させる操作のことである。
【０１５０】
さらにまた錠４４は、他端部にアーム回動軸５１を介してＬ字板状の回動アーム５２が、当該回動アーム５２の一面を扉４２の裏面４２Ａと対向させて取り付けられている。
【０１５１】
この場合、回動アーム５２は、例えば、錠４４の直径よりも短い幅を有する短冊状の根元部５２Ａの一端側に、当該根元部５２Ａの幅よりも短い半径の半円状の先端部５２ＢがＬ字を成すように設けられている。また回動アーム５２は、根元部５２Ａの他端側に四角形の貫通孔が穿設されている。
【０１５２】
そして回動アーム５２は、先端部５２Ｂをカセット左方向に向け、アーム回動軸５１が他回転方向に目一杯回転したときに根元部５２Ａがカセット上方向と平行になるように、一面側から貫通孔に当該アーム回動軸５１の他端部が挿入されている。
【０１５３】
これにより錠４４は、鍵穴４４Ａに差し込まれた鍵５０が他回転方向へ回転操作されると、アーム回動軸５１と共に回動アーム５２を他回転方向に回転させて、当該回動アーム５２の根元部５２Ａをカセット上方向と平行にし先端部５２Ｂを錠４４のほぼ真下に位置させる。
【０１５４】
また錠４４は、鍵穴４４Ａに差し込まれた鍵５０が一回転方向へ回転操作されると、アーム回動軸５１と共に回動アーム５２を一回転方向に回転させて、当該回動アーム５２の根元部５２Ａを左斜め下方向と平行にし先端部５２Ｂを錠４４の真下よりも左側に変位させる。
【０１５５】
ところで、ロック部４３は、カセット筐体４１に対し扉４２をロックするためのロックレバー５３と、当該ロックレバー５３を扉４２の裏面４２Ａに支持するレバー支持部５４とを有している。
【０１５６】
ロックレバー５３は、例えば、略Ｈ字状の平板でなる胴体部５３Ａを有している。そして胴体部５３Ａの一面には、当該胴体部５３Ａの長手方向の一端側の幅広部５３ＡＸにおいて一側面寄りに、平板状のアーム突当部５３Ｂが、当該一側面に沿って（すなわち、胴体長手方向と平行にして）突設されている。
【０１５７】
因みに、以下の説明では、ロックレバー５３において胴体部５３Ａの長手方向を、胴体長手方向とも呼び、当該胴体部５３Ａにおいて胴体長手方向の一端側の幅広部５３ＡＸを、一端側幅広部５３ＡＸとも呼ぶ。
【０１５８】
また胴体部５３Ａの一端側幅広部５３ＡＸには、端面の他側面寄りにＬ字板状の腕部５３Ｃが設けられている。
【０１５９】
この場合、腕部５３Ｃは、短冊状の根元部５３ＣＸの一端側に略直角三角形状の先端部５３ＣＹが、根元部５３ＣＸの他端側を当該根元部５３ＣＸの長手方向に垂直な底面とし、かつ根元部５３ＣＸの一端側を傾斜面としてＬ字を成すように設けられている。
【０１６０】
そして腕部５３Ｃは、根元部５３ＣＸの他端側が一端側幅広部５３ＡＸの端面に接合され、当該根元部５３ＣＸの一端側を胴体部５３Ａの一面の上側に突出させている。
【０１６１】
また腕部５３Ｃは、先端部５３ＣＹの底面を胴体部５３Ａの一面と面一にして、当該先端部５３ＣＹ全体を胴体部５３Ａの一面の上及び一端側幅広部５３ＡＸの他側面の前に突出させている。
【０１６２】
さらに胴体部５３Ａは、ロックレバー５３全体の重心が、例えば、当該胴体部５３Ａの中央部である、一端側幅広部５３ＡＸと胴体長手方向の他端側の幅広部５３ＡＹとの間の幅の狭い括れ部５３ＡＺの内部に位置するように、全体の厚みや当該他端側の幅広部５３ＡＹの形状及び大きさが適宜選定されている。
【０１６３】
因みに、以下の説明では、ロックレバー５３の重心を、レバー重心とも呼び、胴体部５３Ａにおいて胴体長手方向の他端側の幅広部５３ＡＹを、他端側幅広部５３ＡＹとも呼ぶ。
【０１６４】
そして胴体部５３Ａの一面には、括れ部５３ＡＺに、レバー重心の位置を通り当該一面に垂直な軸線（以下、これを重心位置軸線とも呼ぶ）を中心とする所定半径の円形の貫通孔５３Ｄが穿設されている。
【０１６５】
一方、レバー支持部５４は、円柱状のレバー回動軸を有し、当該レバー回動軸の他端に円板状のレバー抑え部が設けられて形成されている。
【０１６６】
この場合、レバー支持部５４は、レバー回動軸の長さがロックレバー５３の胴体部５３Ａの厚みよりも僅かに長く選定されると共に、当該レバー回動軸の直径がロックレバー５３の貫通孔５３Ｄの直径とほぼ等しく選定されている。
【０１６７】
またレバー支持部５４は、レバー抑え部の直径が、ロックレバー５３の貫通孔５３Ｄの直径よりも大きく選定されている。
【０１６８】
そしてロックレバー５３は、胴体部５３Ａの他面を扉４２の裏面４２Ａと対向させて当該扉４２の裏面４２Ａと回動アーム５２の先端部５２Ｂとの間に一端側幅広部５３ＡＸを介在させ、さらに括れ部５３ＡＺ及び他端側幅広部５３ＡＹを回動アーム５２の先端部５２Ｂよりも下側に位置させるようにして配置される。
【０１６９】
この状態で、レバー支持部５４は、レバー回動軸がロックレバー５３の貫通孔５３Ｄに胴体部５３Ａの一面側から差し込まれて、当該レバー回動軸の一端が扉４２の裏面４２Ａに接合されている。
【０１７０】
これによりレバー支持部５４は、ロックレバー５３の貫通孔５３Ｄに挿入されたレバー回動軸の軸中心線を、レバー重心の位置を通る重心位置軸線と一致させる。
【０１７１】
そしてレバー支持部５４は、扉４２の裏面４２Ａにロックレバー５３を、胴体部５３Ａの他面を当該扉４２の裏面４２Ａと平行にしたまま、レバー回動軸を中心にして一回転方向及び他回転方向に回動可能に支持している。
【０１７２】
ところで、レバー支持部５４のレバー回動軸は、扉４２の裏面４２Ａとロックレバー５３との間で、トーションスプリング５５のコイル部に通されている。
【０１７３】
そしてトーションスプリング５５は、コイル部から伸びる一端部が例えば、ロックレバー５３の胴体部５３Ａの他面において一端側幅広部５３ＡＸの一側面下寄りに設けられた一端用係合突起（図示せず）に係合されている。
【０１７４】
またトーションスプリング５５は、所定のトルクがかけられた状態で、コイル部から伸びる他端部が、扉４２の裏面４２Ａにおいてロックレバー５３の括れ部５３ＡＺよりも右斜め下側に設けられた他端用係合突起５６に係合されている。
【０１７５】
これによりトーションスプリング５５は、ロックレバー５３を一回転方向に回転させるように付勢している。
【０１７６】
また扉４２の裏面４２Ａには、ロックレバー５３の一端側幅広部５３ＡＸの他側面と対向する所定位置に、当該ロックレバー５３の一回転方向への回転を規制するための円柱状の回転規制部５７が植設されている。
【０１７７】
よってロック部４３は、鍵穴４４Ａに差し込まれた鍵５０が他回転方向に回転操作され、これに連動して回動アーム５２を他回転方向に回転させると、その回転に伴い当該回動アーム５２の先端部５２Ｂをカセット左方向に変位させる。
【０１７８】
これによりロック部４３は、この際、トーションスプリング５５の付勢によりロックレバー５３を、カセット筐体４１に対し扉４２をロックするための一回転方向に回転させる。
【０１７９】
そしてロック部４３は、回動アーム５２の根元部５２Ａをカセット上方向と平行にした場合は、ロックレバー５３の一端側幅広部５３ＡＸの他側面を回転規制部５７に突き当てて、胴体長手方向をカセット上方向と平行にするように、例えば、扉４２の裏面４２Ａに対する回転規制部５７の植設位置と、レバー支持部５４のレバー回動軸の接合位置とが適宜選定されている。
【０１８０】
因みに、以下の説明では、ロックレバー５３を一回転方向に回転させたときに、回転規制部５７に突き当てられる当該ロックレバー５３の一端側幅広部５３ＡＸの他側面を、回転規制部突当面とも呼ぶ。
【０１８１】
またロック部４３は、このようにロックレバー５３の回転規制部突当面を回転規制部５７に突き当てたとき、当該ロックレバー５３の腕部５３Ｃの先端部５３ＣＹを扉４２の右端面の前に突出させるように、その腕部５３Ｃの先端部５３ＣＹの長さが適宜選定されている。
【０１８２】
さらにロック部４３は、ロックレバー５３の回転規制部突当面を回転規制部５７に突き当てたとき、ロックレバー５３においてアーム突当部５３Ｂのアーム突当面を回動アーム５２の先端部５２Ｂから僅かに離隔させるように、一端側幅広部５３ＡＸの幅や、アーム突当部５３Ｂの厚み及び突設位置等が適宜選定されている。
【０１８３】
一方、ロック部４３は、鍵穴４４Ａに差し込まれた鍵５０が一回転方向に回転操作され、これに連動して回動アーム５２を一回転方向に回転させると、その回転に伴い当該回動アーム５２の先端部５２Ｂをロックレバー５３のアーム突当面に突き当て、そのままカセット右方向に変位させる。
【０１８４】
これによりロック部４３は、この際、ロックレバー５３を、カセット筐体４１に対する扉４２のロックを解除するための他回転方向に回転させる。
【０１８５】
そしてロック部４３は、回動アーム５２の根元部５２Ａを左斜め下方向と平行にした場合には、ロックレバー５３の腕部５３Ｃの先端部５３ＣＹを扉４２の裏面４２Ａ内に引き込んで、例えば、回転規制部５７の上側に位置させるように、当該回動アーム５２の根元部５２Ａの長さが適宜選定されている。
【０１８６】
さらにカセット筐体４１の正面板の内面４１Ｅには、例えば、長方形の板状のロックプレート５８が、当該ロックプレート５８の短手方向の一端部を開口４１ＡＸ内に突出させ、かつ当該一端部の端面中央部をロックレバー５３の一端側幅広部５３ＡＸの回転規制部突当面と対向させるように配置されている。
【０１８７】
これによりロック部４３（図８（Ａ）及び（Ｂ））は、カセット筐体４１に対し扉４２が閉じられた状態で、鍵穴４４Ａに差し込まれた鍵５０が他回転方向に回転操作されると、これに連動した回動アーム５２の他回転方向への回転に応じてロックレバー５３をトーションスプリング５５の付勢により一回転方向に回転させて回転規制部突当面を回転規制部５７に突き当てる。
【０１８８】
すなわち、ロック部４３は、この際、トーションスプリング５５の付勢によりロックレバー５３を一回転方向に回転させるものの、回転規制部突当面を回転規制部５７に突き当てて、当該ロックレバー５３の一回転方向への回転を、これ以上は一回転方向へ回転させないように規制する。
【０１８９】
そしてロック部４３は、このようにしてロックレバー５３の一回転方向への回転を規制した状態では、当該ロックレバー５３の腕部５３Ｃの先端部５３ＣＹをロックプレート５８の一面上の一端寄りに位置させる。
【０１９０】
これによりロック部４３は、扉４２の裏面４２Ａとロックレバー５３の腕部５３Ｃの先端部５３ＣＹとの間に、ロックプレート５８の一端部を挟み込むようにして、カセット筐体４１に対し扉４２を閉じた状態にロックすることができる。
【０１９１】
因みに、以下の説明では、このようにロックレバー５３の回転規制部突当面を回転規制部５７に突き当てて腕部５３Ｃの先端部５３ＣＹを扉４２の右端面の前に突出させることで、カセット筐体４１に対し扉４２を閉じた状態にロック可能な当該ロックレバー５３の姿勢を、ロック姿勢とも呼ぶ。
【０１９２】
一方、ロック部４３（図９（Ａ）及び（Ｂ））は、カセット筐体４１に対し扉４２をロックしていた状態で、鍵穴４４Ａに差し込まれた鍵５０が一回転方向に回転操作されると、これに連動して回動アーム５２の一回転方向への回転に応じてロックレバー５３を他回転方向に回転させる。
【０１９３】
すなわち、ロック部４３は、胴体長手方向をカセット上方向と平行にしていたロックレバー５３を、回動アーム５２の一回転方向への回転により、他回転方向へ所定の回転角度まで回転させる。
【０１９４】
これによりロック部４３は、ロックレバー５３の腕部５３Ｃの先端部５３ＣＹをロックプレート５８の一面上から退避させて、カセット筐体４１に対する扉４２のロックを解除することができ、かくしてカセット筐体４１に対し扉４２を開閉させることができる。
【０１９５】
因みに、以下の説明では、このようにロックレバー５３を他回転方向へ所定の回転角度まで回転させて腕部５３Ｃの先端部５３ＣＹをロックプレート５８の一面上から退避させることで、カセット筐体４１に対する扉４２のロックを解除する当該ロックレバー５３の姿勢を、解除姿勢とも呼ぶ。
【０１９６】
ところで、ロック部４３は、カセット筐体４１に対し扉４２を開いたままでも、鍵穴４４Ａに差し込まれた鍵５０を他回転方向に回転操作されると、これに応じてロックレバー５３を一回転方向に回転させてロック姿勢にすることができる。
【０１９７】
そしてロック部４３には、ロックレバー５３をロック姿勢した場合、当該ロックレバー５３をトーションスプリング５５により一回転方向へ回転させるように付勢する以外に、ロック姿勢から他回転方向へ回転させないための機構は設けられていない。
【０１９８】
よってロック部４３は、カセット筐体４１に対し扉４２が開かれたままロックレバー５３をロック姿勢にした後、カセット筐体４１に対し扉４２が閉じるように押されると、ロックプレート５８の一端面前縁に、ロックレバー５３の腕部５３Ｃにおいて先端部５３ＣＹの傾斜面を突き当てて摺動させる。
【０１９９】
これによりロック部４３は、ロックレバー５３をロック姿勢から一旦は他回転方向へ回転させて、腕部５３Ｃの先端部５３ＣＹをロックプレート５８の一端面上を横切らせた後、トーションスプリング５５による付勢に従いロック姿勢へ戻すように一回転方向に回転させて当該腕部５３Ｃの先端部５３ＣＹをロックプレート５８の一面上の一端寄りに回り込ませる。
【０２００】
このようにしてロック部４３は、ロックレバー５３をロック姿勢にしたまま、カセット筐体４１に対し扉４２が閉じるように押されても、当該カセット筐体４１に対し扉４２を閉じさせて自動的にロックすることができる。
【０２０１】
そしてロック部４３は、このようにロックレバー５３の他回転方向への回転を規制する機構を設けてはいないものの、上述のようにロックレバー５３をレバー支持部５４によりレバー重心が内部に位置するレバー回動軸を中心にして一回転方向及び他回転方向に回動可能に支持している。
【０２０２】
すなわち、ロック部４３は、ロックレバー５３のレバー重心をレバー支持部５４のレバー回動軸の軸中心線上に位置させて、当該ロックレバー５３をレバー重心の位置で回動可能に支持している。
【０２０３】
よってロック部４３は、紙幣収納カセット４０の持ち運びや紙幣収納ユニットへの着脱等の際、カセット筐体４１に対し扉４２をロックしている状態で誤って落下させられても、ロックレバー５３に加わる落下時の衝撃力（すなわち、落下の衝撃でかかる落下方向の力）を、レバー支持部５４のレバー回動軸の内部に位置するレバー重心で受けることができる。
【０２０４】
またロック部４３は、このような紙幣収納カセット４０の落下の際、当該紙幣収納カセット４０の落下に伴うバウンドや転がりで生じる反発力（すなわち、紙幣収納カセット４０にバウンドでかかるそのバウンド方向の力）や遠心力のロックレバー５３への作用も、レバー支持部５４のレバー回動軸の内部に位置するレバー重心で受けることができる。
【０２０５】
これによりロック部４３は、紙幣収納カセット４０がカセット筐体４１に対し扉４２をロックしている状態で落下した場合、ロックレバー５３に他回転方向へ回転させるような外力が加わることを回避して、当該ロックレバー５３のロック姿勢を維持することができる。
【０２０６】
（２−３）第１の実施の形態の動作及び効果
以上の構成において、紙幣収納カセット４０では、カセット筐体４１に開閉可能に取り付けられた扉４２の裏面４２Ａにロック部４３を設け、当該ロック部４３においてロックレバー５３のレバー重心の位置に穿設された貫通孔５３Ｄにレバー支持部５４のレバー回動軸を挿入して、当該レバー支持部５４により扉４２の裏面４２Ａにロックレバー５３を、レバー回動軸を中心にして回動可能に支持する。
【０２０７】
すなわち、紙幣収納カセット４０では、ロックレバー５３のレバー重心をレバー支持部５４のレバー回動軸の軸中心線上に位置させて、当該ロックレバー５３をレバー重心の位置で回動可能に支持する。
【０２０８】
そして紙幣収納カセット４０は、カセット筐体４１に対し扉４２が閉じられた状態で、錠４４の鍵穴４４Ａに差し込まれた鍵５０が他回転方向に回転操作されると、トーションスプリング５５の付勢によりロックレバー５３を、レバー回動軸を中心にして一回転方向へ回転させてロック姿勢にすることによりカセット筐体４１に対し扉４２を閉じた状態にロックする。
【０２０９】
また紙幣収納カセット４０は、カセット筐体４１に対し扉４２をロックしている状態で、錠４４の鍵穴４４Ａに差し込まれた鍵５０が一回転方向に回転操作されると、これに連動して一回転方向に回転する回動アーム５２によりロックレバー５３を、レバー回動軸を中心にして他回転方向へ回転させて解除姿勢にすることによりカセット筐体４１に対する扉４２のロックを解除する。
【０２１０】
従って紙幣収納カセット４０は、持ち運びや紙幣収納ユニットへの着脱等の際、カセット筐体４１に対し扉４２をロックしている状態で誤って落下させられても、ロックレバー５３に加わる落下時の衝撃力を、レバー支持部５４のレバー回動軸の内部に位置するレバー重心で受けることができる。
【０２１１】
また紙幣収納カセット４０は、このような落下の際、その落下に伴う当該紙幣収納カセット４０のバウンドや転がりによって生じてロックレバー５３に加わる反発力や遠心力も、レバー支持部５４のレバー回動軸の内部に位置するレバー重心で受けることができる。
【０２１２】
よって紙幣収納カセット４０は、カセット筐体４１に対し扉４２をロックしている状態で落下しても、落下時の衝撃力や、その落下に伴って生じる反発力や遠心力によりロックレバー５３に他回転方向へ回転させるような外力が加わることを回避して、当該ロックレバー５３のロック姿勢を維持することができる。
【０２１３】
以上の構成によれば、紙幣収納カセット４０は、レバー支持部５４により扉４２の裏面４２Ａにロックレバー５３を、レバー回動軸を中心にして回動可能に支持し、カセット筐体４１に対し扉４２が閉じられた状態で、錠４４の鍵穴４４Ａに差し込まれた鍵５０が他回転方向に回転操作されると、トーションスプリング５５の付勢によりロックレバー５３を、レバー回動軸を中心にして一回転方向へ回転させてカセット筐体４１に対し扉４２をロックするうえで、ロックレバー５３のレバー重心の位置に穿設された貫通孔５３Ｄにレバー支持部５４のレバー回動軸を挿入するようにした。
【０２１４】
これにより紙幣収納カセット４０は、持ち運びや紙幣収納ユニットへの着脱等の際、カセット筐体４１に対し扉４２をロックしている状態で誤って落下させられても、ロックレバー５３に加わる落下時の衝撃力や、その落下に伴う紙幣収納カセット４０のバウンドや転がりで生じる反発力や遠心力を、ロックレバー５３を回動させるためのレバー回動軸の内部に位置するレバー重心で受けて、ロックレバー５３に他回転方向へ回転させるような外力が加わることを回避し、その結果、ロックレバー５３のロック姿勢（すなわち、扉４２のロック）を維持することができる。
【０２１５】
よって紙幣収納カセット４０は、持ち運びや紙幣収納ユニットへの着脱等の際、カセット筐体４１に対し扉４２をロックしている状態で誤って落下させられても、その落下の衝撃やバウンド、転がりによりカセット筐体４１に対し扉４２がひとりでに開くことなく閉じたままにすることができる。
【０２１６】
また紙幣収納カセット４０は、例えば、錠４４に設けられた回転機構に錠中心軸と直交する方向に僅かに動くようながたつきがあると、落下時に、錠４４に落下の衝撃力が加わり、また落下に伴う紙幣収納カセット４０のバウンドや転がりで生じる反発力や遠心力が錠４４に作用すると、当該錠４４において回転機構が本来の取付位置から錠中心軸と直交する方向に僅かに動く場合がある。
【０２１７】
このため、紙幣収納カセット４０は、ロック部４３において、ロックレバー５３をロック姿勢にしている状態では、錠４４における回転機構のがたつきを考慮して、ロックレバー５３を他回転方向に回転させるための回動アーム５２の先端部５２Ｂを、当該ロックレバー５２のアーム突当面から離隔させるようにした。
【０２１８】
従って紙幣収納カセット４０は、持ち運びや紙幣収納ユニットへの着脱等の際、カセット筐体４１に対し扉４２をロックしている状態で誤って落下させられて錠４４に落下による衝撃力や反発力、遠心力が加わり回転機構と共に回動アーム５２が動いても、当該回動アーム５２の先端部５２Ｂがロックレバー５３のアーム突当面に突き当てられることを回避することができる。
【０２１９】
すなわち、紙幣収納カセット４０は、落下により回動アーム５２が動いても、ロックレバー５３を他回転方向へは回転させずにロック姿勢を維持して、カセット筐体４１に対し扉４２がひとりでに開くことなく閉じたままにすることができる。
【０２２０】
（３）第２の実施の形態
（３−１）紙幣収納カセットの構成
図７（Ａ）及び（Ｂ）との対応部分に同一符号を付して示す図１０（Ａ）及び（Ｂ）は、本発明を適用した上述のリジェクト紙幣用の紙幣収納カセット２０（図２）の具体例である第２の実施の形態によるリジェクト紙幣用の紙幣収納カセット７０を示す。
【０２２１】
係る紙幣収納カセット７０は、ロック部７１の一部構成を除いて上述した第１の実施の形態による紙幣収納カセット４０と同様に構成されている。よって、以下には、ロック部７１の構成について説明する。
【０２２２】
（３−２）ロック部の構成
図８（Ａ）及び（Ｂ）並びに図９（Ａ）及び（Ｂ）との対応部分に同一符号を付して示す図１１（Ａ）及び（Ｂ）並びに図１２（Ａ）及び（Ｂ）は、第２の実施の形態による紙幣収納カセット７０に設けられたロック部７１を示す。
【０２２３】
因みに、図１１（Ａ）及び図１２（Ａ）も、図８（Ａ）及び図９（Ａ）と同様に、カセット筐体４１に対し扉４２を閉じた状態で当該カセット筐体４１の正面板の内面４１Ｅ、及び扉４２の裏面４２Ａと共にロック部７１を見た場合の当該ロック部７１の構成を示す図である。
【０２２４】
また図１１（Ｂ）及び図１２（Ｂ）も、図８（Ｂ）及び図９（Ｂ）と同様に、カセット筐体４１に対し扉４２を閉じた状態で、当該カセット筐体４１の正面板及び扉４２と共にロック部７１を下から見上げた場合の当該ロック部７１の構成を示す図である。
【０２２５】
この場合、ロック部７１においてロックレバー７２は、例えば、略Ｈ字状の平板でなる胴体部７２Ａを有している。
【０２２６】
そして、係る胴体部７２Ａは、胴体長手方向の一端側に、上述した第１の実施の形態によるロックレバー５３（図８及び図９）の一端側幅広部５３ＡＸと同様に形成された一端側幅広部７２ＡＸを有している。
【０２２７】
すなわち、胴体部７２Ａにおいて一端側幅広部７２ＡＸは、上述した第１の実施の形態によるロックレバー５３の一端側幅広部５３ＡＸと同様の大きさ及び形状を有し、一側面寄りに平板状のアーム突当部７２Ｂが、当該一側面に沿って突設されている。
【０２２８】
また胴体部７２Ａにおいて一端側幅広部７２ＡＸには、Ｌ字板状の腕部７２Ｃが、端面の回転規制部突当面寄りに短冊状の根元部７２ＣＸの他端側を接合し、略直角三角形状の先端部７２ＣＹを当該回転規制部突当面の前に突出させるようにして設けられている。
【０２２９】
さらに胴体部７２Ａは、一端側幅広部７２ＡＸと胴体長手方向の他端側の他端側幅広部７２ＡＹとの間に、上述した第１の実施の形態によるロックレバー５３の括れ部５３ＡＺと同様の大きさ及び形状を有する、幅の狭い括れ部７２ＡＺが設けられている。
【０２３０】
そして胴体部７２Ａの括れ部７２ＡＺには、上述した第１の実施の形態によるロックレバー５３の括れ部５３ＡＺのように、中央部にレバー支持部５４のレバー回動軸を差し込むための、当該レバー回動軸の直径とほぼ等しい直径の貫通孔７２Ｄが穿設されている。
【０２３１】
ただし、胴体部７２Ａにおいて他端側幅広部７２ＡＹは、上述した第１の実施の形態によるロックレバー５３の他端側幅広部５３ＡＹと比べて、異なる形状で大きさを小さくして形成されている。
【０２３２】
すなわち、他端側幅広部７２ＡＹは、当該他端側幅広部７２ＡＹ自体の重さが、上述した第１の実施の形態によるロックレバー５３の他端側幅広部５３ＡＹ自体の重さよりも軽くなるように形成されている。
【０２３３】
よってロックレバー７２は、胴体長手方向の他端側の重さ（すなわち、他端側幅広部７２ＡＹの重さ）よりも、当該胴体長手方向の一端側の重さ（すなわち、一端側幅広部７２ＡＸ、アーム突当部７２Ｂ及び腕部７２Ｃを合わせた重さ）が重くなっている。
【０２３４】
その結果、ロックレバー７２は、レバー重心が例えば、一端側幅広部７２ＡＸの中央付近の内部のように、上述した第１の実施の形態によるロックレバー５３のレバー重心の位置とは異なる位置に存在している。
【０２３５】
このため、胴体部７２Ａの一面には、一端側幅広部７２ＡＸの内部のレバー重心の位置から貫通孔７２Ｄの中心を通って他端側幅広部７２ＡＹまで伸びる仮想線Ｌ１をもとに、当該他端側幅広部７２ＡＹの所定位置に長方形状の長孔７２Ｅが、その長手方向を仮想線Ｌ１と平行にし、かつ長孔７２Ｅの幅の中心を仮想線Ｌ１が通るように穿設されている。
【０２３６】
また胴体部７２Ａの他端側幅広部７２ＡＹには、ロックレバー７２全体の重さのバランスを調整するようにして、レバー重心を貫通孔７２Ｄの孔中心線上に位置させるように調整するための重心位置調整部７３が、その長孔７２Ｅを介して取り付けられている。
【０２３７】
この場合、重心位置調整部７３は、重り７４と超低頭型の雄ねじ７５とを組み合わせて形成されている。雄ねじ７５は、頭部が長孔７２Ｅの幅よりも長い直径を有する円板状に形成されている。
【０２３８】
また雄ねじ７５は、ねじ部の外形が長孔７２Ｅの幅とほぼ等しく選定されると共に、当該ねじ部の長さが、胴体部７２Ａの厚みよりも長く選定されている。
【０２３９】
一方、重り７４は、長孔７２Ｅの幅よりも長い直径を有する円柱状に形成されている。また重り７４の一面には、中心よりも周側面寄りの所定位置に、所定深さの円形の穴部が形成されると共に、当該穴部の内壁に、雄ねじ７５のねじ部に対応するねじ山、すなわち雌ねじが形成されている。
【０２４０】
そして重心位置調整部７３は、ロックレバー７２の胴体部７２Ａの他面側から他端側幅広部７２ＡＹの長孔７２Ｅに挿入された雄ねじ７５のねじ部において、当該胴体部７２Ａの一面から突出した部分を重り７４の雌ねじに螺合させるようにして形成されている。
【０２４１】
すなわち、重心位置調整部７３は、ロックレバー７２の他端側幅広部７２ＡＹの長孔７２Ｅに対し、雄ねじ７５のねじ中心線を、胴体部７２Ａの厚み方向と平行にし、かつ仮想線Ｌ１と直交させて取り付けられている。
【０２４２】
ここで、重心位置調整部７３は、他端側幅広部７２ＡＹに当該重心位置調整部７３を取り付けるために穿設された長孔７２Ｅの位置に応じてレバー重心の位置調整用に適宜選定された所定の重さを有している。
【０２４３】
また重心位置調整部７３は、当該重心位置調整部７３自体の重心が、例えば、重り７４の内部の中心付近に位置している。
【０２４４】
因みに、重心位置調整部７３自体の重心とは、ロックレバー７２の他端側幅広部７２ＡＹに取り付けるために、ねじ部を雌ねじに螺合した状態の重り７４及び雄ねじ７５全体の重心であり、以下、この重心を調整部重心とも呼ぶ。
【０２４５】
そして重心位置調整部７３は、重り７４において調整部重心の位置から穴部（すなわち、雌ねじ）の形成位置を所定距離だけ離隔させる（例えば、調整部重心の位置に穴部がかからない）ように、当該穴部の形成位置が適宜選定されている。
【０２４６】
ところで、重心位置調整部７３は、ロック部７１の組立時に、ロックレバー７２に対するレバー重心の位置の調整をかねて、当該ロックレバー７２の他端側幅広部７２ＡＹに取り付けられている。
【０２４７】
実際にロック部７１の組立では、雄ねじ７５のねじ部をロックレバー７２の他面側から他端側幅広部７２ＡＹの長孔７２Ｅに挿入して一面側で重り７４の雌ねじに螺合させることで、当該他端側幅広部７２ＡＹに重心位置調整部７３を取り付けさせるものの、この際、重り７４の雌ねじに対する雄ねじ７５の締めつけを僅かに緩めさせておく。
【０２４８】
これによりロック部７１の組立では、ロックレバー７２の他端側幅広部７２ＡＹに取り付けた重心位置調整部７３を仮想線Ｌ１（すなわち、長孔７２Ｅの長手方向）に沿って貫通孔７２Ｄの孔中心線に近づける近接方向及び、これとは逆の遠ざける離隔方向に移動可能にする。
【０２４９】
またロック部７１の組立では、ロックレバー７２の他端側幅広部７２ＡＹに取り付けた重心位置調整部７３を、調整部重心の位置からずれたねじ中心線を中心にして回動可能にする。
【０２５０】
この状態で、ロック部７１の組立では、ロックレバー７２の他端側幅広部７２ＡＹに取り付けた重心位置調整部７３を、仮想線Ｌ１に沿って近接方向又は離隔方向に移動させるようにして、当該他端側幅広部７２ＡＹに対する重心位置調整部７３の取付位置を仮想線Ｌ１に沿って調整させる。
【０２５１】
これによりロック部７１の組立では、ロックレバー７２においてレバー重心の位置を、仮想線Ｌ１に沿って貫通孔７２Ｄの孔中心線側に変位させて、当該レバー重心を貫通孔７２Ｄの孔中心線上に位置させ、又は貫通孔７２Ｄの孔中心線の近傍に位置させるように調整させる。
【０２５２】
この際、ロック部７１の組立では、仮想線Ｌ１に沿った重心位置調整部７３の取付位置の調整だけで、レバー重心を貫通孔７２Ｄの孔中心線上に位置させるように調整し得ると、重り７４の雌ねじに対し雄ねじ７５をきつく締めさせて、ロックレバー７２の他端側幅広部７２ＡＹに重心位置調整部７３を固定させる。
【０２５３】
これに対してロック部７１の組立では、仮想線Ｌ１に沿った重心位置調整部７３の取付位置の調整だけでは、レバー重心を貫通孔７２Ｄの孔中心線上に位置させ難いと、引き続き重心位置調整部７３を、ねじ中心線を中心にして一方又は他方に回転させるようにして、他端側幅広部７２ＡＹに対する重心位置調整部７３のねじ中心線を中心にした取付角度を調整させる。
【０２５４】
これによりロック部７１の組立では、ロックレバー７２においてレバー重心の位置を、仮想線Ｌ１と交差する方向に沿って貫通孔７２Ｄの孔中心線側に変位させて、当該レバー重心を貫通孔７２Ｄの孔中心線上に位置させるように微調整させる。
【０２５５】
そしてロック部７１の組立では、重り７４の雌ねじに対し雄ねじ７５をきつく締めさせて、ロックレバー７２の他端側幅広部７２ＡＹに重心位置調整部７３を固定させる。
【０２５６】
因みに、ロック部７１の組立では、この際、重心位置調整部７３の取付角度を調整しても、レバー重心を貫通孔７２Ｄの孔中心線上に位置させ難いと、他端側幅広部７２ＡＹに対する重心位置調整部７３の取付位置及び取付角度を適宜交互に微調整させて、最終的にレバー重心を貫通孔７２Ｄの孔中心線上に位置させるように調整させる。
【０２５７】
そしてロック部７１の組立では、レバー重心の位置の調整が完了すると、重り７４の雌ねじに対し雄ねじ７５をきつく締めさせて、ロックレバー７２の他端側幅広部７２ＡＹに重心位置調整部７３を固定させる。
【０２５８】
このようにしてロック部７１の組立では、ロックレバー７２の他端側幅広部７２ＡＹに対する重心位置調整部７３の全重量の付加位置を適宜調整させて当該ロックレバー７２全体の重さのバランスを調整させ、レバー重心を貫通孔７２Ｄの孔中心線上に位置させることができる。
【０２５９】
そして、このようにレバー重心の位置が調整されたロックレバー７２は、上述した第１の実施の形態によるロックレバー５３と同様に、胴体部７２Ａの他面を扉４２の裏面４２Ａと対向させて当該扉４２の裏面４２Ａと回動アーム５２の先端部５２Ｂとの間に一端側幅広部７２ＡＸを介在させ、さらに括れ部７２ＡＺ及び他端側幅広部７２ＡＹを回動アーム５２の先端部５２Ｂよりも下側に位置させるようにして配置される。
【０２６０】
この状態で、レバー支持部５４は、レバー回動軸がロックレバー７２の貫通孔７２Ｄに胴体部７２Ａの一面側から差し込まれて孔中心線に軸中心線を一致させて、当該レバー回動軸の一端が扉４２の裏面４２Ａに接合されている。
【０２６１】
これによりレバー支持部５４は、扉４２の裏面４２Ａにロックレバー７２を、胴体部７２Ａの他面を当該扉４２の裏面４２Ａと平行にした状態で、内部（すなわち、軸中心線上）にレバー重心が位置するレバー回動軸を中心にして一回転方向及び他回転方向に回動可能に支持している。
【０２６２】
よってロック部７１は、上述した第１の実施の形態によるロック部４３（図８及び図９）と同様に、錠４４の鍵穴４４Ａに差し込まれた鍵５０の回転操作に応じて、カセット筐体４１に対し扉４２をロックし、また、そのロックを解除することができる。
【０２６３】
因みに、ロック部７１では、ロックレバー７２をロック姿勢にした場合、上述した第１の実施の形態によるロック部４３と同様に、回動アーム５２の先端部５２Ｂを、ロックレバー７２のアーム突当面から離隔させている。
【０２６４】
またロック部７１は、カセット筐体４１に対し扉４２が開かれたままロックレバー７２をロック姿勢にして、当該カセット筐体４１に対し扉４２が閉じるように押されたときも、上述した第１の実施の形態によるロック部４３と同様に、カセット筐体４１に対し扉４２を閉じさせて自動的にロックすることができる。
【０２６５】
そしてロック部７１は、重心位置調整部７３によりロックレバー７２のレバー重心の位置を調整してレバー支持部５４のレバー回動軸の軸中心線上に位置させて、当該ロックレバー７２をレバー重心の位置で回動可能に支持している。
【０２６６】
よってロック部７１は、紙幣収納カセット７０が落下した場合、上述した第１の実施の形態によるロック部４３と同様に、ロックレバー７２に加わる落下時の衝撃力を、レバー支持部５４のレバー回動軸の内部に位置するレバー重心で受けることができる。
【０２６７】
またロック部７１は、このような紙幣収納カセット７０の落下の際、当該紙幣収納カセット７０の落下に伴うバウンドや転がりで生じる反発力や遠心力のロックレバー７２への作用も、レバー支持部５４のレバー回動軸の内部に位置するレバー重心で受けることができる。
【０２６８】
これによりロック部７１は、紙幣収納カセット７０がカセット筐体４１に対し扉４２をロックしている状態で落下した場合、ロックレバー７２に他回転方向へ回転させるような外力が加わることを回避して、当該ロックレバー７２のロック姿勢を維持することができる。
【０２６９】
（３−３）第２の実施の形態の動作及び効果
以上の構成において、紙幣収納カセット７０では、カセット筐体４１に開閉可能に取り付けられた扉４２の裏面４２Ａにロック部７１を設け、当該ロック部７１において、ロックレバー７２にレバー重心の位置を調整するための重心位置調整部７３を取り付ける。
【０２７０】
そして紙幣収納カセット７０では、重心位置調整部７３によりロックレバー７２のレバー重心の位置を調整するようにして、当該レバー重心を、ロックレバー７２を回動可能に支持するレバー支持部５４のレバー回動軸の軸中心線上に位置させる。
【０２７１】
この状態で紙幣収納カセット７０は、カセット筐体４１に対し扉４２が閉じられて、錠４４の鍵穴４４Ａに差し込まれた鍵５０が他回転方向に回転操作されると、トーションスプリング５５の付勢によりロックレバー７２を、レバー回動軸を中心にして一回転方向へ回転させてカセット筐体４１に対し扉４２を閉じた状態にロックする。
【０２７２】
また紙幣収納カセット７０は、カセット筐体４１に対し扉４２をロックしている状態で、錠４４の鍵穴４４Ａに差し込まれた鍵５０が一回転方向に回転操作されると、これに連動して一回転方向に回転する回動アーム５２によりロックレバー７２を、、レバー回動軸を中心にして他回転方向へ回転させてカセット筐体４１に対する扉４２のロックを解除する。
【０２７３】
従って紙幣収納カセット７０は、持ち運びや紙幣収納ユニットへの着脱等の際、カセット筐体４１に対し扉４２をロックしている状態で誤って落下させられても、ロックレバー７２に加わる落下時の衝撃力を、レバー支持部５４のレバー回動軸の内部に位置するレバー重心で受けることができる。
【０２７４】
また紙幣収納カセット７０は、このような落下の際、その落下に伴う当該紙幣収納カセット７０のバウンドや転がりによって生じてロックレバー７２に加わる反発力や遠心力も、レバー支持部５４のレバー回動軸の内部に位置するレバー重心で受けることができる。
【０２７５】
よって紙幣収納カセット７０は、カセット筐体４１に対し扉４２をロックしている状態で落下しても、落下時の衝撃力や、その落下に伴って生じる反発力や遠心力によりロックレバー７２に他回転方向へ回転させるような外力が加わることを回避して、当該ロックレバー７２のロック姿勢を維持することができる。
【０２７６】
そして紙幣収納カセット７０では、上述のように重心位置調整部７３によりロックレバー７２のレバー重心の位置を調整することで、ロックレバー７２の形成精度（すなわち、形状や大きさ、貫通孔７２Ｄの穿設位置の精度）に影響されずに、レバー重心を、ロックレバー７２を回動可能に支持するレバー支持部５４のレバー回動軸の軸中心線上に容易にかつ的確に位置させることができる。
【０２７７】
以上の構成によれば、紙幣収納カセット５０は、レバー支持部５４により扉４２の裏面４２Ａにロックレバー７２を、レバー回動軸を中心にして回動可能に支持し、カセット筐体４１に対し扉４２が閉じられた状態で、錠４４の鍵穴４４Ａに差し込まれた鍵５０が他回転方向に回転操作されると、トーションスプリング５５の付勢によりロックレバー７２を、レバー回動軸を中心にして一回転方向へ回転させてカセット筐体４１に対し扉４２をロックするうえで、ロックレバー７２に重心位置調整部７３を取り付けて、当該重心位置調整部７３によりロックレバー７２のレバー重心を、当該ロックレバー７２の貫通孔７２Ｄに挿入されるレバー回動軸の軸中心線上に位置させるように調整するようにした。
【０２７８】
これにより紙幣収納カセット７０は、上述した第１の実施の形態によって得られる効果と同様の効果を得ることができると共に、これに加えてロックレバー７２の形成精度に影響されずに、ロックレバー７２のレバー重心を、当該ロックレバー７２を回動可能に支持するレバー支持部５４のレバー回動軸の軸中心線上に容易にかつ高精度に位置させることができる。
【０２７９】
よって紙幣収納カセット７０は、持ち運びや紙幣収納ユニットへの着脱等の際、カセット筐体４１に対し扉４２をロックしている状態で誤って落下させられても、ロックレバー７２に他回転方向へ回転させるような外力が加わることを、より確実に回避して当該ロックレバー７２のロック姿勢を維持し、カセット筐体４１に対し扉４２を確実に閉じたままにすることができる。
【０２８０】
また紙幣収納カセット７０は、ロックレバー７２にレバー重心の位置を調整可能な重心位置調整部７３を設ける分、他端側幅広部７２ＡＹを小さくすることができる。
【０２８１】
よって紙幣収納カセット７０は、扉４２の裏面４２Ａにおいてロック部７１の配置に必要なスペースを小さくすることができる。
【０２８２】
また紙幣収納カセット７０は、レバー重心の位置調整時、ロックレバー７２の他端側幅広部７２ＡＹに重心位置調整部７３を移動可能及び回動可能に取り付けるようにした。
【０２８３】
従って紙幣収納カセット７０は、レバー重心の位置調整時、１つの重心位置調整部７３以外に追加の重り等を特には用いることなく、ロックレバー７２の他端側幅広部７２ＡＹに対する当該１つの重心位置調整部７３の取付位置及び取付角度を適宜調整させるだけで、レバー重心の位置を容易に調整させることができ、レバー重心の位置を調整するための調整作業を簡易化することができる。
【０２８４】
（４）他の実施の形態
（４−１）他の実施の形態１
なお上述した第１及び第２の実施の形態においては、紙幣収納カセット４０、７０においてカセット筐体４１に開閉可能に取り付けられた扉４２の裏面４２Ａにロック部４３、７１を設けるようにした場合について述べた。
【０２８５】
しかしながら本発明は、これに限らず、紙幣収納カセットにおいてカセット筐体の正面板の内面にロック部を設けるようにしても良い。
【０２８６】
本発明は、係る構成の場合、例えば、紙幣収納カセットにおいてカセット筐体に開閉可能に取り付けられた扉の裏面にロックプレートを取り付けるものの、当該ロックプレートの形状又は取り付け方により、ロックプレートと裏面との間に隙間を形成する。
【０２８７】
また本発明は、カセット筐体の正面板の内面に基本的には、上述した第１及び第２の実施の形態によるロック部４３、７１とほぼ同様な構成のロック部を設ける。
【０２８８】
ただし、本発明は、ロック部において、上述した第１及び第２の実施の形態によるロックレバー５３、７２のように一端側幅広部にＬ字錠の腕部５３Ｃ、７２Ｃを設けるのではなく、ロックレバーの一端側幅広部自体をアーム突当部以外はＬ字状の平板として形成して、当該一端側幅広部の側面の一部から当該側面の前に突出する部分を腕部とする。
【０２８９】
また本発明は、カセット筐体の正面板の内面に、係るロックレバーを、当該カセット筐体に扉をロックするための一回転方向、及び当該ロックを解除するための他回転方向に回動可能に支持する。
【０２９０】
そして本発明は、カセット筐体に対し扉が閉じられた状態でロックレバーを一回転方向及び他回転方向に回動させた場合、ロックプレートと扉の裏面との隙間に、Ｌ字状の平板として形成された一端側幅広部において側面から突出する腕部を差し込み、また抜き出すようにする。
【０２９１】
このようにして本発明は、例えば、ロックレバーの一端側幅広部の形状を一部変更すれば、紙幣収納カセットにおいてカセット筐体の正面板の内面にロック部を設ける構成を容易に実現することができる。
【０２９２】
そして本発明は、このようなロックレバーの一端側幅広部の形状以外は、ロック部を上述した第１及び第２の実施の形態によるロック部４３、７１と同様に構成することで、カセット筐体の正面板の内面にロック部を設けるようにしても、上述した第１及び第２の実施の形態と同様の効果を得ることができる。
【０２９３】
ところで、本発明は、このようなＬ字状の平板でなる一端側幅広部を有するロックレバーの構成、及び扉の裏面にロックプレートを当該裏面との間に隙間を形成するように取り付ける構成を、上述した第１及び第２の実施の形態による紙幣収納カセット４０、７０（すなわち、カセット筐体４１にロックプレート５８を設け、扉４２の裏面４２Ａにロック部４３、７１を設ける構成）に適用することもできる。
【０２９４】
また本発明は、このようなＬ字状の平板でなる一端側幅広部を有するロックレバーの構成のみを、上述した第１及び第２の実施の形態による紙幣収納カセット４０、７０に適用することもできる。
【０２９５】
そして本発明は、係る構成の場合、カセット筐体４１の正面板の内面４１Ｅにロックプレート５８を設けずに、当該正面板自体をロックプレートとして機能させて、カセット筐体４１の構成を簡易化することができる。
【０２９６】
さらに本発明は、上述した第１及び第２の実施の形態による紙幣収納カセット４０、７０において、このようなＬ字状の平板でなる一端側幅広部を有するロックレバーの構成を適用せずに、ロックレバー５３、７２の一端側幅広部５３ＡＸ及び７２ＡＸの例えば一端面に、長方形状の平板でなる腕部を、一側面を胴体部５３Ａ、７２Ａの他面と面一にし、先端部を回転規制部突当面の前に突出させて設けるようにしても良い。
【０２９７】
さらにまた本発明は、上述した第１及び第２の実施の形態による紙幣収納カセット４０、７０において、このようなＬ字状の平板でなる一端側幅広部を有するロックレバーの構成を適用せずに、ロックレバー５３、７２の一端側幅広部５３ＡＸ及び７２ＡＸの例えば一端面に、略長方形状で先端部に一側面から他側面にかけて鋭角に傾斜する傾斜面が形成された平板でなる腕部を、当該一側面を胴体部５３Ａ、７２Ａの他面と面一にし、先端部を回転規制部突当面の前に突出させて設けるようにしても良い。
【０２９８】
本発明は、このようにロックレバー５３、７２の一端側幅広部５３ＡＸ及び７２ＡＸに、長方形状の平板でなる腕部や、先端部に傾斜面が形成された平板でなる腕部を設けるようにしても、カセット筐体４１の正面板の内面４１Ｅにロックプレート５８を設けずに、当該正面板自体をロックプレートとして機能させて、カセット筐体４１の構成を簡易化することができる。
【０２９９】
（４−２）他の実施の形態２
また上述した第１及び第２の実施の形態においては、カセット筐体４１に開閉可能に取り付けられた扉４２に、当該扉４２のロック、及びそのロックの解除の操作用として、鍵５０が差し込まれる錠４４を設けるようにした場合について述べた。
【０３００】
しかしながら本発明は、これに限らず、カセット筐体４１に開閉可能に取り付けられた扉４２に、当該扉４２のロック、及びそのロックの解除の操作用として、埋設型又は突出型のダイヤルキーと、当該ダイヤルキーが操作され特定の数字が組み合わせられたときにのみ回動操作可能なサムターン、スライド操作可能なスライドレバー、又は引起操作可能な引起レバー等のような操作子とを、種々の組み合わせで設けるようにしても良い。
【０３０１】
また本発明は、カセット筐体４１に開閉可能に取り付けられた扉４２に、当該扉４２のロック、及びそのロックの解除の操作用として、ダイヤルキーは設けずに、回動操作可能なサムターンやスライド操作可能なスライドレバー、引起操作可能な引起レバー等のような操作子のみを設けるようにしても良い。
【０３０２】
さらに本発明は、このような錠４４及び鍵５０に変えて、ダイヤルキーと操作子とを組み合わせて用いる構成や、操作子のみを用いる構成を、上述した他の実施の形態１のカセット筐体の正面板の内面にロック部を設ける構成に適用して、当該カセット筐体の正面板にダイヤルキーと操作子とを組み合わせて設け、また操作子のみを設けるようにしても良い。
【０３０３】
（４−３）他の実施の形態３
さらに上述した第２の実施の形態においては、ロックレバー７２の他端側幅広部７２ＡＹに１つの重心位置調整部７３を、取付位置及び取付角度を調整可能に取り付けるようにした場合について述べた。
【０３０４】
しかしながら本発明は、これに限らず、ロックレバー７２の他端側幅広部７２ＡＹに少なくとも２つ以上の重心位置調整部７３を、それぞれ取付位置及び取付角度の少なくとも一方を調整可能に取り付けるようにしても良い。
【０３０５】
また本発明は、ロックレバー７２を一端側よりも他端側を重く形成しておき、これに応じて一端側幅広部７２ＡＸに１つの重心位置調整部７３を、取付位置及び取付角度を調整可能に取り付け、又は少なくとも２つ以上の重心位置調整部７３を、それぞれ取付位置及び取付角度の少なくとも一方を調整可能に取り付けるようにしても良い。
【０３０６】
さらに本発明は、ロックレバー７２の一端側幅広部７２ＡＸ及び他端側幅広部７２ＡＹの両方に１つの重心位置調整部７３を、取付位置及び取付角度を調整可能に取り付け、又は少なくとも２つ以上の重心位置調整部７３を、それぞれ取付位置及び取付角度の少なくとも一方を調整可能に取り付けるようにしても良い。
【０３０７】
そして本発明は、例えば、ロックレバー７２の一端側幅広部７２ＡＸ及び他端側幅広部７２ＡＹの少なくとも一方に複数の重心位置調整部７３を、それぞれ取付位置を調整可能に取り付ける場合、これら複数の重心位置調整部７３を、それぞれ異なる方向に直線や円弧状の線等のような種々の形状の線に沿って移動させて取付位置を調整可能なように取り付けるようにしても良い。
【０３０８】
また本発明は、このようにロックレバー７２の一端側幅広部７２ＡＸ及び他端側幅広部７２ＡＹの少なくとも一方に複数の重心位置調整部７３を、それぞれ異なる方向に移動させて取付位置を調整可能なように取り付ける場合、これら複数の重心位置調整部７３において重り７４の重心の位置、又は調整部重心の位置に雄ねじ７５を取り付けるようにしても良い。
【０３０９】
これに加えて本発明は、例えば、ロックレバー７２の一端側幅広部７２ＡＸ及び他端側幅広部７２ＡＹの少なくとも一方に１つの重心位置調整部７３を取り付ける場合、長孔の幅を、雄ねじ７５のねじ部の直径よりも広くする。
【０３１０】
そして本発明は、ロックレバー７２の一端側幅広部７２ＡＸや他端側幅広部７２ＡＹに幅広の長孔を介して１つの重心位置調整部７３を、その取付位置を仮想線Ｌ１に沿って、また当該仮想線Ｌ１と交差する種々の方向に沿って自由に調整可能なように取り付けるようにしても良い。
【０３１１】
また本発明は、このようにロックレバー７２の一端側幅広部７２ＡＸ及び他端側幅広部７２ＡＹの少なくとも一方に幅広の長孔を介して１つの重心位置調整部７３を、その取付位置を自由に調整可能なように取り付ける場合、当該重心位置調整部７３において重り７４の重心の位置、又は調整部重心の位置に雄ねじ７５を取り付けるようにしても良い。
【０３１２】
（４−４）他の実施の形態４
さらに上述した第１及び第２の実施の形態においては、本発明のロック装置を、図１乃至図１２について上述したロック部４３、７１に適用するようにした場合について述べた。
【０３１３】
しかしながら本発明は、これに限らず、他の実施の形態２について上述したダイヤルキーと、操作子とを有するロック部や、ダイヤルキーは設けずに操作子を有するロック部等のように、この他種々の構成のロック装置に広く適用することができる。
【０３１４】
（４−５）他の実施の形態５
さらに上述した第１及び第２の実施の形態においては、本発明の収納装置を、図１乃至図１２について上述したリジェクト紙幣用の紙幣収納カセット４０、７０に適用するようにした場合について述べた。
【０３１５】
しかしながら本発明は、これに限らず、現金自動預払機や現金自動支払機（CD：Cash  Dispenser）、両替機、電車の切符や観劇のチケット等を販売する券売機、精算機、パチンコ台やスロット台のような遊戯機等に着脱可能に装着される紙幣補充回収用の紙幣収納カセットに適用することができる。
【０３１６】
また本発明は、係る収納装置を、現金自動預払機や現金自動支払機、両替機、券売機、精算機、遊戯機、飲料やタバコ等の自動販売機等に着脱可能に装着される金種毎の紙幣を収納する紙幣収納カセットに適用することもできる。
【０３１７】
また本発明は、係る収納装置を、現金自動預払機や現金自動支払機、両替機、券売機、精算機、遊戯機、飲料やタバコ等の自動販売機等に着脱可能に装着される偽券を収納する収納カセットに適用することもできる。
【０３１８】
さらに本発明は、係る収納装置を、現金自動支払機に着脱可能に装着されるリジェクト紙幣用の紙幣収納カセットに適用することもできる。
【０３１９】
さらに本発明は、係る収納装置を、現金自動預払機や現金自動支払機、両替機、自動販売機、券売機、精算機、遊戯機等に着脱可能に装着される硬貨を収納するための硬貨収納カセットに適用することもできる。
【０３２０】
さらに本発明は、係る収納装置を、券売機や精算機等に着脱可能に装着される電車の切符や観劇のチケット等を収納する収納カセットに適用することもできる。
【０３２１】
さらにまた本発明は、係る収納装置を、筐体に対し扉が開閉可能に取り付けられるものであれば、金庫やロッカー、ブリーフケース、旅行鞄等のように、この他種々の収納装置にも広く適用することができる。
【０３２２】
（４−６）他の実施の形態６
さらに上述した第１及び第２の実施の形態においては、筐体に開閉可能に取り付けられた扉を、筐体に対し閉じた状態にロックするためのロックレバーとして、図１乃至図１２について上述した略Ｈ字状のロックレバー５３、７２を適用するようにした場合について述べた。
【０３２３】
しかしながら本発明は、これに限らず、筐体に開閉可能に取り付けられた扉を、筐体に対し閉じた状態にロックすることができれば、他の実施の形態１について上述したロックレバーや、Ｌ字状のロックレバー、四角形状の胴体部を有するロックレバー等のように、この他種々の形状及び構成のロックレバーを広く適用することができる。
【０３２４】
（４−７）他の実施の形態７
さらに上述した第１及び第２の実施の形態においては、ロックレバーの回動用のレバー回動軸として、図１乃至図１２について上述したレバー支持部５４のレバー回動軸を適用するようにした場合について述べた。
【０３２５】
しかしながら本発明は、これに限らず、ロックレバーのレバー重心を内部に位置させることができれば、ロックレバーに植設されたレバー回動軸や、例えば、Ｌ字状のロックレバーのように外部にレバー重心が存在するロックレバーの当該レバー重心が内部に位置し、そのロックレバーから離隔させて設けられるレバー回動軸等のように、この他種々の構成のレバー回動軸を広く適用することができる。
【０３２６】
（４−８）他の実施の形態８
さらに上述した第１及び第２の実施の形態においては、ロックレバーを、レバー回動軸を中心にして筐体に対し扉をロックするための一回転方向、及び筐体に対する扉のロックを解除するための他回転方向に回動可能に支持する支持部として、図１乃至図１２について上述したレバー支持部５４を適用するようにした場合について述べた。
【０３２７】
しかしながら本発明は、これに限らず、ロックレバーを、レバー回動軸を中心にして筐体に対し扉をロックするための一回転方向、及び筐体に対する扉のロックを解除するための他回転方向に回動可能に支持することができれば、ロックレバーに植設されたレバー回動軸の軸受けや、例えば、Ｌ字状のロックレバーを、これと、当該ロックレバーの外部に存在するレバー重心とを連結するようにして回動可能に支持する支持部等のように、この他種々の構成の支持部を広く適用することができる。
【０３２８】
（４−９）他の実施の形態９
さらに上述した第１及び第２の実施の形態においては、支持部により回動可能に支持されているロックレバーを、筐体に対し扉をロックするためにレバー回動軸を中心にして一回転方向に回転させるように付勢する付勢部として、図１乃至図１２について上述したトーションスプリング５５を適用するようにした場合について述べた。
【０３２９】
しかしながら本発明は、これに限らず、支持部により回動可能に支持されているロックレバーを、筐体に対し扉をロックするためにレバー回動軸を中心にして一回転方向に回転させるように付勢することができれば、コイルばねやゴム等の弾性体のように、この他種々の付勢部を広く適用することができる。
【０３３０】
（４−１０）他の実施の形態１０
さらに上述した第１及び第２の実施の形態においては、ロックレバーのレバー重心を、レバー回動軸の内部に位置させるように調整する重心位置調整部として、図１乃至図１２について上述した重心位置調整部７３を適用するようにした場合について述べた。
【０３３１】
しかしながら本発明は、これに限らず、ロックレバーのレバー重心を、レバー回動軸の内部に位置させるように調整することができれば、他の実施の形態３について上述した重心位置調整部のように、この他種々の構成の重心位置調整部を広く適用することができる。
【０３３２】
（４−１１）他の実施の形態１１
さらに上述した第１及び第２の実施の形態においては、所定の操作に応じて、所定部位をロックレバーの所定の突当面に突き当てるようにして当該ロックレバーを他回転方向に回転させる突当回転部として、図１乃至図１２について上述した、ロックレバー５３、７２のアーム突当面に、所定部位として先端部５２Ｂを突き当てる回動アーム５２を適用するようにした場合について述べた。
【０３３３】
しかしながら本発明は、これに限らず、所定の操作に応じて、所定部位をロックレバーの所定の突当面に突き当てるようにして当該ロックレバーを他回転方向に回転させることができれば、錠４４の鍵穴４４Ａに差し込まれた鍵５０の回転操作に連動して回転して、ロックレバー５３、７２のアーム突当面に所定部位を突き当てる偏芯カムに適用することができる。
【０３３４】
また本発明は、係る突当回転部を、スライド操作に応じて、所定部位をロックレバー５３、７２のアーム突当面に突き当てるスライドレバー、サムターンの回転操作に応じてスライドして、所定部位をロックレバー５３、７２のアーム突当面に突き当てるスライドバー等のように、この他種々の構成の突当回転部にも広く適用することができる。
【０３３５】
（４−１２）他の実施の形態１２
さらに上述した第１及び第２の実施の形態においては、扉が開閉可能に取り付けられる筐体として、図１乃至図１２について上述した箱型のカセット筐体４１を適用するようにした場合について述べた。
【０３３６】
しかしながら本発明は、これに限らず、正面全体や天面全体に開口が形成された箱型の筐体や、一方及び他方の筐体半体を開閉可能に連結して全体として箱型や卵形のような種々の形状を有し、一方の筐体半体自体を扉とする筐体等のように、この他種々の構成及び形状の筐体を広く適用することができる。
【０３３７】
（４−１３）他の実施の形態１３
さらに上述した第１及び第２の実施の形態においては、筐体に開閉可能に取り付けられる扉として、図１乃至図１２について上述した平板状の左開きの扉４２を適用するようにした場合について述べた。
【０３３８】
しかしながら本発明は、これに限らず、平板状の右開きの扉や、他の実施の形態１２について上述した一方の筐体半体等のように、この他種々の形状及び構成の扉を広く適用することができる。
【産業上の利用可能性】
【０３３９】
本発明は、リジェクト紙幣用や紙幣補充回収用の紙幣収納カセット等に設けられたロック部等のロック装置と、リジェクト紙幣用や紙幣補充回収用の紙幣収納カセット等の収納装置とに利用することができる。
【符号の説明】
【０３４０】
１……現金自動預払機、１９、２０、４０、７０……紙幣入出金ユニット、４１……カセット筐体、４２……扉、４３、７１……ロック部、５２……回動アーム、５３、７２……ロックレバー、５４……レバー支持部、５５……トーションスプリング、７３……重心位置調整部。
【図１】
0005287958.tif 000002
【図２】
0005287958.tif 000003
【図３】
0005287958.tif 000004
【図４】
0005287958.tif 000005
【図５】
0005287958.tif 000006
【図６】
0005287958.tif 000007
【図７】
0005287958.tif 000008
【図８】
0005287958.tif 000009
【図９】
0005287958.tif 000010
【図１０】
0005287958.tif 000011
【図１１】
0005287958.tif 000012
【図１２】
0005287958.tif 000013
【図１３】
0005287958.tif 000014
【図１４】
0005287958.tif 000015
【図１５】
0005287958.tif 000016
【図１６】
0005287958.tif 000017
【図１７】
0005287958.tif 000018